(57)【特許請求の範囲】
【請求項１】
無線通信システムであって、
１つのセンターアクセスポイントＣＡＰと、
前記センターアクセスポイントＣＡＰと通信する少なくとも１つのサイトＳＴＡと、
を備え、
前記センターアクセスポイントＣＡＰは、スケジューリングされる伝送リソースに基づいて現在の物理フレームの構造を確定し、前記現在の物理フレームで現在の物理フレーム構造を示す情報を送信し、前記現在の物理フレーム構造を確定することは、前記現在の物理フレームに、プリアンブルシーケンスと、前記現在の物理フレーム構造を示す情報を持つシステム情報チャンネルとを配置することを含み、
前記サイトＳＴＡは、前記現在の物理フレームに含まれる前記現在の物理フレーム構造を示す情報に基づいて、前記現在の物理フレームの構造を確定し、
複数のチャンネルのうち前記現在の物理フレームに選択的に配置される少なくとも１つのチャンネルについて、前記物理フレームの長さは、その構造によって確定され、非固定値であることを特徴とする無線通信システム。
【請求項２】
ネットワーク機器であって、
配置ユニットと第１通信ユニットを含み、
前記配置ユニットは、スケジューリングされた伝送リソースに基づいて現在の物理フレーム構造を確定し、前記現在の物理フレーム構造を確定することは、現在の物理フレームに、プリアンブルシーケンスと、現在の物理フレーム構造を示す情報を持つシステム情報チャンネルとを配置することを含み、
前記第１通信ユニットは、前記現在の物理フレームで前記現在の物理フレーム構造を示す情報を送信し、少なくとも１つの端末機器と通信を行い、
複数のチャンネルのうち前記現在の物理フレームに選択的に配置される少なくとも１つのチャンネルについて、前記物理フレームの長さは、その構造に依存し、非固定値であることを特徴とするネットワーク機器。
【請求項３】
前記現在の物理フレームに、前記プリアンブルシーケンスと、前記現在の物理フレーム構造を示す情報のシステム情報チャンネルとを配置することに応答して、
前記第１通信ユニットが前記プリアンブルシーケンスを送信し、及び、前記システム情報チャンネルで前記現在の物理フレーム構造を示す情報を送信することを特徴とする請求項２に記載のネットワーク機器。
【請求項４】
前記現在の物理フレームに、前記プリアンブルシーケンスと、前記現在の物理フレーム構造を示す情報のシステム情報チャンネルとを配置し、選択的に現在の物理フレームに複数のチャンネルのうちの少なくとも１つを配置することに応答して、
前記第１通信ユニットは、前記プリアンブルシーケンスを送信するとともに、システム情報チャンネルで現在の物理フレーム構造を示す情報を送信し、選択的に配置されるチャンネルで関連する送信或は受信を実施することを特徴とする請求項２に記載のネットワーク機器。
【請求項５】
前記現在の物理フレーム構造を確定する構造は、伝送リソースの割り当てとスケジューリング、伝送リソースを占用するチャンネルの伝送フォーマットを示す情報を伝送するための制御チャンネルを前記現在の物理フレームに配置することを特徴とする請求項４に記載のネットワーク機器。
【請求項６】
前記第１通信ユニットは、前記プリアンブルシーケンスを送信し、システム情報チャンネルで現在の物理フレーム構造を示す情報を送信し、前記制御チャンネルで、伝送リソースの割り当てとスケジューリング、および伝送リソースを占用するチャンネルの伝送フォーマットを示す情報を伝送し、
選択的に配置されるチャンネルに関連する送信或は受信を実施し、
前記第１通信ユニットは、前記プリアンブルシーケンスを送信し、前記システム情報チャンネルで一部の現在物理フレーム構造を示す情報を送信し、その中、少なくとも制御チャンネルの時間の長さを含み、制御チャンネルでほかの部分の現在の物理フレーム構造を示す情報を送信し、制御チャンネルで伝送リソースの割り当てとスケジューリング、および伝送リソースを占用するチャンネルの伝送フォーマットを示す情報を伝送し、
選択的に配置されるチャンネルに関連する送信或は受信を実施することを特徴とする請求項５に記載のネットワーク機器。
【請求項７】
前記制御チャンネルと前記システム情報チャンネルは、時間分割多重、周波分割多重、コード分割多重アクセスのいずれかまたは組合方式でリソースを分割多重することを特徴とする請求項６に記載のネットワーク機器。
【請求項８】
端末機器であって、
解析ユニットと第２通信ユニットを含み、
前記解析ユニットは、現在の物理フレームの中で現在の物理フレーム構造を示す情報を解析して、現在の物理フレーム構造を確定し、前記現在の物理フレーム構造は、前記現在の物理フレームが、プリアンブルシーケンスと、前記現在の物理フレーム構造を示す情報を持つシステム情報チャンネルとで構成され、
前記第２通信ユニットは、前記現在の物理フレーム内でネットワーク機器と通信し、
複数のチャンネルのうち前記現在の物理フレームに選択的に配置される少なくとも１つのチャンネルについて、前記物理フレームの長さは、その構造に依存し、非固定値であることを特徴とする端末機器。
【請求項９】
前記第２通信ユニットは、前記プリアンブルシーケンスを受信するとともに、前記システム情報チャンネルで現在の物理フレーム構造を示す情報を受信することを特徴とする請求項８に記載の端末機器。
【請求項１０】
前記現在の物理フレームは、前記プリアンブルシーケンスと、前記現在の物理フレーム構造を示す情報を持つシステム情報チャンネルとが、少なくとも１つの選択的に配置され、
前記第２通信ユニットは、前記プリアンブルシーケンスを受信するとともに、前記システム情報チャンネルで現在の物理フレーム構造を示す情報を受信し、
少なくとも１つの選択的に配置されるチャンネルに関連する送信或は受信を実施することを特徴とする請求項８に記載の端末機器。
【請求項１１】
前記現在の物理フレーム構造は、伝送リソースの割り当てとスケジューリング、伝送リソースを占用するチャンネルの伝送フォーマットを示す情報を伝送するための制御チャンネルをさらに含むことを特徴とする請求項１０に記載の端末機器。
【請求項１２】
前記第２通信ユニットは、前記プリアンブルシーケンスを受信し、前記システム情報チャンネルで現在の物理フレーム構造を示す情報を受信し、制御チャンネルで、伝送リソースの割り当てとスケジューリング、および伝送リソースを占用するチャンネルの伝送フォーマットを示す情報を受信し、
少なくとも１つの選択的に配置されるチャンネルに関連する送信或は受信、或は、
前記第２通信ユニットは、前記プリアンブルシーケンスを受信し、前記システム情報チャンネルで一部の現在の物理フレーム構造を示す情報を受信し、その中、少なくとも制御チャンネルの時間の長さを含み、制御チャンネルでほかの部分の現在の物理フレーム構造を示す情報を受信し、制御チャンネルで伝送リソースの割り当てとスケジューリング、および伝送リソースを占用するチャンネルの伝送フォーマットを示す情報を受信し、
少なくとも１つの選択的に配置されるチャンネルに関連する送信或は受信を実施することを特徴とする請求項１１に記載の端末機器。
【請求項１３】
少なくとも１つの選択的に配置されるチャンネルに関連する送信の場合、
前記選択的に配置されるチャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、アップリンクシグナリング、ダウンリンクトラフィックフィードバック、ダウンリンクＣＱＩフィードバック、ダウンリンクＣＳＩフィードバックのうちの少なくとも１つを伝送するためのアップリンク伝送チャンネルと、新ユーザアクセスをトリガーするためのアップリンクランダムアクセスチャンネルとを含み、或は、
前記選択的に配置されるチャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、アップリンクシグナリング、ダウンリンクトラフィックフィードバックのうちの少なくとも１つを伝送するためのアップリンク伝送チャンネルと、ダウンリンクＣＱＩフィードバックを伝送するためのＣＱＩフィードバックチャンネルと、ダウンリンクＣＳＩフィードバックを伝送するためのＣＳＩフィードバックチャンネルと、新ユーザアクセスをトリガーするためのアップリンクランダムアクセスチャンネルとを含むことを特徴とする請求項１０又は１２に記載の端末機器。
【請求項１４】
少なくとも１つの選択的に配置されるチャンネルに関連する受信の場合、
前記選択的に配置されるチャンネルは、ダウンリンクトラフィック、ダウンリンクシグナリング、アップリンクトラフィックフィードバックのうちの少なくとも１つを伝送するための第１ダウンリンク伝送チャンネルと、ダウンリンク探査信号を伝送するためのダウンリンク探査チャンネルと、ダウンリンクトラフィック、ダウンリンクシグナリング、アップリンクトラフィックフィードバックのうちの少なくとも１つを伝送するための第２ダウンリンク伝送チャンネルとを含むことを特徴とする請求項１０又は１２に記載の端末機器。
【請求項１５】
前記現在の物理フレーム構造を示す情報は、第１チャンネルの存在性を示す情報を含み、その中で、
前記第１チャンネルは、ダウンリンク探査信号を伝送するためのダウンリンク探査チャンネルであり、それに応じて、
前記現在の物理フレーム構造を示す情報は、第２チャンネルの時間の長さを示す情報を含み、前記第２チャンネルの時間の長さがゼロよりも大きな値であり、或は、
前記第１チャンネルは、新ユーザアクセスをトリガーするためのアップリンクランダムアクセスチャンネルであることを特徴とする請求項８に記載の端末機器。
【請求項１６】
前記現在の物理フレーム構造を示す情報は、第１チャンネルの存在性及び時間の長さを示す情報を含み、その中で、
前記第１チャンネルは、アップリンク伝送リソーススケジューリングをトリガーするためのアップリンクスケジューリングリクエストチャンネルであり、或は、
前記第１チャンネルは、アップリンク探査信号を伝送するためのアップリンク探査チャンネルであり、それに応じて、
前記現在の物理フレーム構造を示す情報は、第２チャンネルの時間の長さを示す情報を含み、前記第２チャンネルの時間の長さがゼロよりも大きな値であることを特徴とする請求項８に記載の端末機器。
【請求項１７】
前記現在の物理フレーム構造を示す情報は、第１チャンネルの時間の長さを示す情報を含み、前記第１チャンネルの時間の長さがゼロよりも大きな値であることを特徴とする請求項８に記載の端末機器。
【請求項１８】
前記第１チャンネルは、伝送リソースの割り当てとスケジューリング、伝送リソースを占用するチャンネルの伝送フォーマットを示す情報を伝送するための制御チャンネルであり、或は、
前記第１チャンネルは、ダウンリンク伝送チャンネルであり、
前記現在の物理フレーム構造を示す情報は、第２チャンネルの存在性及び時間の長さを示す情報を含み、或は、第２チャンネルの存在性を示す情報を含み、或は、
前記第１チャンネルは、アップリンク伝送チャンネルであり、
前記現在の物理フレーム構造を示す情報は、第２チャンネルの存在性及び時間の長さを示す情報を含み、或は、第２チャンネルの存在性を示す情報を含むことを特徴とする請求項１７に記載の端末機器。
【発明の詳細な説明】
【技術分野】
【０００１】
本願は、出願日が２０１１年３月２５日、出願番号が２０１１１００７４５９８．５、発明の名称が「無線通信システムにおける復調パイロットの調整方法及びシステム」である中国特許出願の優先権を主張するものであり、当該先行出願の全部内容は本願に表される。
【０００２】
本願は、出願日が２０１１年３月３１日、出願番号が２０１１１００８１１９３．４、発明の名称が「無線通信方法、システム及び機器」である中国特許出願の優先権を主張するものであり、当該先行出願の全部内容は本願に表される。
【０００３】
本願は、出願日が２０１１年５月１９日、出願番号が２０１１１０１３０１９４．３、発明の名称が「通信システム」である中国特許出願の優先権を主張するものであり、当該先行出願の全部内容は本願に表される。
【０００４】
本願は、出願日が２０１２年１月１６日、出願番号が２０１２１００１１９２４．２、発明の名称が「無線通信方法及び機器」である中国特許出願の優先権を主張するものであり、当該先行出願の全部内容は本願に表される。
【０００５】
本願は、出願日が２０１２年２月１６日、出願番号が２０１２１００３５５５２．７、発明の名称が「無線通信方法及び機器」である中国特許出願の優先権を主張するものであり、当該先行出願の全部内容は本願に表される。
【０００６】
本願は、出願日が２０１２年２月２１日、出願番号が２０１２１００４１６５５．４、発明の名称が「無線通信システム及び無線通信に用いられる機器」である中国特許出願の優先権を主張するものであり、当該先行出願の全部内容は本願に表される。
【０００７】
本願は、出願日が２０１２年２月２１日、出願番号が２０１２１００４１６５０．１、発明の名称が「無線通信に用いられる機器」である中国特許出願の優先権を主張するものであり、当該先行出願の全部内容は本願に表される。
【０００８】
本願は、出願日が２０１２年２月２１日、出願番号が２０１２１００４１６５１．６、発明の名称が「無線通信に用いられる機器」である中国特許出願の優先権を主張するものであり、当該先行出願の全部内容は本願に表される。
【０００９】
本発明は通信分野に属して、特に無線通信システム、ネットワーク接続機器及び端末機器に関する。
【背景技術】
【００１０】
近年、中短距離通信に適用される無線通信システムは、８０２．１１規格に準拠する無線ＬAＮ技術WｉFｉ、８０２．１５規格に準拠するブルートゥース(Bluetooth（登録商標）)システム及び移動通信システムに由来する室内アプリケーション向けのFeｍto技術等がある。
【００１１】
８０２．１１規格に準拠するWｉFｉ技術は、現在、一番広く使用されている無線ネットワーク伝送技術である。主に無線ＬAＮ環境に適用され、アプリケーションシーンは多くは室内であり、室外環境に適用されてもよい。８０２．１１システムは、最初CDMA伝送メカニズムに基づく８０２．１１bから、OFDM技術に基づく８０２．１１ａ及び８０２．１１ｇに発展されていた。最新の８０２．１１ｎバージョンには、８０２．１１ｎ物理層のピークレートが６００MbPSに達するようにマルチアンテナ（MIMO）技術を導入した。MAC層において、８０２．１１システムにはランダム多重アドレスに合わせてするキャリア検知多重アクセス／衝突回避(CSMA／CA、Carrier Sense  Multiple Access  with Collision Avoidance)プロトコルが採択されてきた。該プロトコルは、「競合」メカニズムを用い、アクセスポイントCAPと各端末やSTAは、競合によってオープンされているエアインターフェース利用権を取得する。競合が成功すると、その伝送周期内にエアインターフェースが競合成功CAPに独占される。競合メカニズムを利用するため、アクセスネットワークは集中的にノードを制御する必要がない。CAPでもSTAでも、エアインターフェースリソースを競合する面でいずれも平等である。WｉFｉシステムは効率が低く、無線リソースを大きく浪費する。この問題を招来する根本的な原因は、CSMA／CAメカニズムが競合に基づくランダム多重アクセスメカニズムであり、アクセスポイント(CAP、Access Point)とステーション(STA、station)の間、又は異なるSTA同士の間は、CSMA／CAメカニズムにより無線リソースの使用権を競合するとともに、無線チャンネルを競合する。この場合、衝突が発生し、無線リソースの浪費を招く。衝突を回避するために、CSMA／CAメカニズムにおいては、CAP又はSTAが無線チャンネルを競合する時に、ランダムに退避することが要求されており、全部CAP及びSTAがいずれも退避した場合、無線チャンネルは空いてるが、使用されていない。これも無線チャンネルに対する巨大な浪費である。上記原因により、８０２．１１システムは効率が低い。例えば、８０２．１１gシステムでは物理層のピークレートは５４MbPsに達することができるが、TCP層の大容量パケットダウンロードトラフィック（例えば、FTP  Download）下での到達可能なレートが３０MbPs以下である（小容量パケットダウンロードトラフィック下で、オーバーヘッドの比率が増加したため、到達可能なレートがもっと低くなる）。上記欠陥が存在するが、８０２．１１システムは柔軟性があり、集中制御メカニズムによらないので、機器の低コストを図ることができる。
【００１２】
３GPP規格に準拠するFeｍto技術は、移動通信システムから発展されてきた室内向けの新規技術である。３Gシステムのデータ統計によれば、約７０％のデータトラフィックは室内で行われているので、室内ハイレートデータアクセス方案は特に重要である。Feｍto基地局は、超小型基地局と称され、体積が小さくて(Wｉ−Fｉと近似)、設置の融通性がよい。移動通信システムから発展されてきたので、Feｍto基地局は移動通信システムの全ての特徴をほとんど継続している。Feｍto機器は、単に制限されたカバー範囲や少ないアクセス使用者などのアプリケーションシーン特徴に合わせて、機器処理能力を低減させ、さらに機器コストを低減させた。デュプレックスモードから考慮すると、移動通信システムと同様に、Feｍto基地局はFDDとTDDという２種類のデュプレックスモードに分けられる。FDDでは、アップリンクダウンリンクキャリアリソースが対称するが、データトラフィックにおけるアップリンクダウンリンクデータ通信量の非対称トラフィック特徴により、FDDシステムがデータトラフィックに際してある程度のリソース浪費がある。TDDシステムではアップリンクダウンリンクが同一キャリアで作業し、時間リソースを分けることにより、アップリンクダウンリンクに異なる無線リソースを配分するので、FDDに比べてアップリンクダウンリンクトラフィックに必要な非対称のデータトラフィックによく適用できる。しかしながら、移動通信システム(Feｍtoシステムを含む)のTDDデュプレックスモードにおいて、アップリンクダウンリンクリソースが静的に配分され、異なる要求の各種類のデータトラフィック、例えば、ウェブページ閲覧、移動ビデオ、移動ゲーム、machine-to-machine (M2M)等に対して、トラフィック要求とリソース配分の動的アダプテーションを実現し難い。Wｉ−Fｉと比較すると、Feｍtoがスケジューリングに基づく集中制御メカニズムを採用し、基地局又はCAPと端末、あるいは端末同士の間には、競合衝突及びランダム退避による無線リソースの浪費がないため、リンク効率は高い。Feｍto技術において、その多重アクセスメカニズムは、時間、周波数、コードワードによって、異なるSTAに互いに直交するアクセスリソースを配分する。これは、競合に向けるCSMA/CAのランダム多重アクセスと比べて本質的に異なる。Feｍto技術は、集中的にノードを制御してSTAに互いに直交するアクセスリソースを配分する必要があり、異なるSTAは時間、周波数、コードワード及び空間多重エアインターフェースリソースによって、同時に伝送することができる。物理層技術において、３Gシステムに基づくFeｍto技術はCDMA伝送メカニズムを採用し、LTE又はWiMAXシステムのFeｍto技術に対してOFDMA伝送メカニズムを採用している。OFDMA技術は将来の広帯域無線通信システムの主流技術であるため、本発明で言及されているFeｍto技術はLTE又はWiMAX  Feｍtoを指す。TDD技術は、FDD技術に比べてモバイルインタネットのアップリンクダウンリンク非対称トラフィックにもっとよく適用できるため、本発明で言及されているFeｍtoは主にTDD  Feｍto技術を指す。
【００１３】
Feｍtoシステムもスケジューリングによってアップリンクダウンリンクに通信して、異なる端末に無線リソースを配分するが、静的に設定されたフレーム構造ではアップリンクダウンリンクに無線リソースを柔軟に配分することが不可能で、小さい粒度でトラフィックの変化に自己適応できない。トラフィックとリソースの配置のバランスが崩された場合、長時間行列を起こすか、ユーザーの体験が低下するか、またはチャンネル容量の浪費を招く。
【発明の概要】
【００１４】
前記のことを鑑みて、本発明が解決しようとする技術課題は、無線通信システム、ネットワーク接続機器及び端末機器を提供することである。
【００１５】
本発明で開示される実施例のいくつかの面を基本的に理解するために、以下、簡単な概括を提供している。当該概括部分は一般的に論評するものでもなく、鍵／重要な構成元素を確定する、又はこれらの実施例の保護範囲を描くものでもない。その唯一の目的は、簡単な形式で概念を表して、以下の詳しい説明の基礎とすることにある。
【００１６】
本発明に関わる技術方案は、下記のように実現される。
【００１７】
無線通信システムであって、
１つのセンターアクセスポイントCAPと、
前記CAPと通信する少なくとも1つのサイトSTAと、を備え、
前記センターアクセスポイントCAPは、スケジューリングされる伝送リソースに基づいて現在の物理フレームの構造を確定し、現在の物理フレームにその構造を示す情報を送信し、
前記サイトSTAは、現在の物理フレームに現在の物理フレーム構造を示す情報に基づいて、現在の物理フレームの構造を確定し、
そのうち、各の前記物理フレームの長さは、その構造によって確定され、非固定値である。
【００１８】
ネットワーク機器であって、
配置ユニットと第１通信ユニットを含み、
前記配置ユニットは、スケジューリングされた伝送リソースに基づいて現在の物理フレーム構造を確定し、
前記第１通信ユニットは、現在の物理フレームで現在の物理フレーム構造を示す情報を送信し、少なくとも１つの端末機器と通信を行い、
現在の物理フレームで現在の物理フレーム構造を示す情報を送信し、少なくとも１つの端末機器と通信を行い、
そのうち、それぞれの物理フレーム長はその構造に依存し、非固定値である。
【００１９】
一つの実施例では、前記現在の物理フレーム構造を確定する構造は、具体的に、現在の物理フレームに同期用プリアンブルシーケンスと、現在の物理フレーム構造を示す情報のシステム情報チャンネルを配置する。
【００２０】
一つの実施例では、前記第１通信ユニットが前記プリアンブルシーケンスを送信し、及び、前記システム情報チャンネルで前記現在の物理フレーム構造を示す情報を送信する。
一つの実施例では、前記現在の物理フレーム構造を確定する構造は、具体的に、現在の物理フレームに同期用プリアンブルシーケンスと、現在の物理フレーム構造を示す情報のシステム情報チャンネルを配置し、選択的に現在の物理フレームに複数のチャンネルのうちの少なくとも１つを配置する。
【００２１】
一つの実施例では、前記複数のチャンネルは、
ダウンリンクトラフィック、及び/またはダウンリンクシグナリング、及び/またはアップリンクトラフィックフィードバックを伝送するための第１ダウンリンク伝送チャンネルと、
ダウンリンク探査信号を伝送するためのダウンリンク探査チャンネルと、
ダウンリンクトラフィック、及び/またはダウンリンクシグナリング、及び/またはアップリンクトラフィックフィードバックを伝送するための第２ダウンリンク伝送チャンネルとを含む。
【００２２】
好ましくは、前記第１通信ユニットは、プリアンブルシーケンスを送信するとともに、システム情報チャンネルで現在の物理フレーム構造を示す情報を送信し、選択的に配置されるチャンネルで関係送信を実施する。
【００２３】
好ましくは、前記現在の物理フレーム構造を確定する構造は、伝送リソースの割り当てとスケジューリング、伝送リソースを占用するチャンネルの伝送フォーマットを示す情報を伝送するための制御チャンネルを現在の物理フレームに配置する。
【００２４】
好ましくは、前記第１通信ユニットは、前記プリアンブルシーケンスを送信し、システム情報チャンネルで現在の物理フレーム構造を示す情報を送信し、前記制御チャンネルで、伝送リソースの割り当てとスケジューリング、および伝送リソースを占用するチャンネルの伝送フォーマットを示す情報を伝送し、
選択的に配置されるチャンネルに関係送信を実施する。
【００２５】
好ましくは、前記第１通信ユニットはプリアンブルシーケンスを送信し、前記システム情報チャンネルで一部の現在物理フレーム構造を示す情報を送信し、その中、少なくとも制御チャンネルの時間の長さを含み、制御チャンネルでほかの部分の現在の物理フレーム構造を示す情報を送信し、制御チャンネルで伝送リソースの割り当てとスケジューリング、および伝送リソースを占用するチャンネルの伝送フォーマットを示す情報を伝送し、
選択的に配置されるチャンネルに関係送信を実施する。
【００２６】
好ましくは、前記複数チャンネルは、
アップリンク探査信号を伝送するためのアップリンク探査チャンネルと、
アップリンクスケジューリングリクエストを伝送するためのアップリンクスケジューリングリクエストチャンネルと、
アップリンクトラフィック、及び/またはアップリンクシグナリング、及び/またはダウンリンクトラフィックフィードバック、及び/またはダウンリンクCQIフィードバック、及び/またはダウンリンクCSIフィードバックを伝送するためのアップリンク伝送チャンネルと、
新ユーザアクセスをトリガーするするためのアップリンクランダムアクセスチャンネルとを含む。
【００２７】
好ましくは、前記複数チャンネルは、
アップリンク探査信号を伝送するためのアップリンク探査チャンネルと、アップリンクスケジューリングリクエストを伝送するためのアップリンクスケジューリングリクエストチャンネルと、
アップリンクトラフィック、及び/またはアップリンクシグナリング、及び/またはダウンリンクトラフィックフィードバックを伝送するためのアップリンク伝送チャンネルと、ダウンリンクCQIフィードバックを伝送するためのCQIフィードバックチャンネルと、
ダウンリンクCSIフィードバックを伝送するためのCSIフィードバックチャンネルと、
新ユーザアクセスをトリガーするためのアップリンクランダムアクセスチャンネルとを含む。
【００２８】
好ましくは、前記第１通信ユニットはプリアンブルシーケンスを送信するとともに、システム情報チャンネルで現在の物理フレーム構造を示す情報を送信し、選択的に配置されるチャンネルに関係受信を実施する。
【００２９】
好ましくは、現在の物理フレーム構造を確定する構造は、伝送リソースの割り当てとスケジューリング、伝送リソースを占用するチャンネルの伝送フォーマットを示す情報を伝送するための制御チャンネルを現在の物理フレームに配置する。
【００３０】
好ましくは、前記第１通信ユニットは、前記プリアンブルシーケンスを送信し、システム情報チャンネルで現在の物理フレーム構造を示す情報を送信し、制御チャンネルで、伝送リソースの割り当てとスケジューリング、および伝送リソースを占用するチャンネルの伝送フォーマットを示す情報を伝送し、選択的に配置されるチャンネルに関係受信を実施する。
【００３１】
好ましくは、前記第１通信ユニットは、前記プリアンブルシーケンスを送信し、システム情報チャンネルで一部の現在の物理フレーム構造を示す情報を送信し、その中、少なくとも制御チャンネルの時間の長さを含み、制御チャンネルでほかの部分の現在の物理フレーム構造を示す情報を送信し、制御チャンネルで伝送リソースの割り当てとスケジューリング、および伝送リソースを占用するチャンネルの伝送フォーマットを示す情報を伝送し、
選択的に配置されるチャンネルに関係受信を実施することを特徴とする。
【００３２】
好ましくは、前記制御チャンネルと前記システム情報チャンネルは、時間分割多重、周波分割多重、コード分割多重アクセスのいずれかまたは組合方式でリソースを分割多重することを特徴とする。
【００３３】
端末機器であって、
解析ユニットと第２通信ユニットを含み、
前記解析ユニットは、現在の物理フレームの中で現在の物理フレーム構造を示す情報を解析して、現在の物理フレーム構造を確定し、
前記第２通信ユニットは、現在の物理フレーム内でネットワーク機器と通信し、
その中、各物理フレーム長はその構造に依存し、非固定値である。
【００３４】
一つの実施例では、前記現在の物理フレームはプリアンブルシーケンスと、現在の物理フレーム構造を示す情報を持つシステム情報チャンネルで構成される。
【００３５】
好ましくは、前記第２通信ユニットは、前記プリアンブルシーケンスを受信するとともに、システム情報チャンネルで現在の物理フレーム構造を示す情報を受信する。
【００３６】
好ましくは、前記現在の物理フレームは、プリアンブルシーケンスと、現在の物理フレーム構造を示す情報を持つシステム情報チャンネルと、少なくとも１つの選択的に配置されるチャンネルとを含む。
【００３７】
好ましくは、前記選択的に配置されるチャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバック、及び/またはダウンリンクCQIフィードバック、及び/またはダウンリンクCSIフィードバックを伝送するためのアップリンク伝送チャンネルと、新ユーザアクセスをトリガーするためのアップリンクランダムアクセスチャンネルとを含む。
【００３８】
好ましくは、前記選択的に配置されるチャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバックを伝送するためのアップリンク伝送チャンネルと、ダウンリンクCQIフィードバックを伝送するためのCQIフィードバックチャンネルと、ダウンリンクCSIフィードバックを伝送するためのCSIフィードバックチャンネルと、新ユーザアクセスをトリガーするためのアップリンクランダムアクセスチャンネルとを含む。
【００３９】
好ましくは、前記第２通信ユニットは、プリアンブルシーケンスを受信するとともに、システム情報チャンネルで現在の物理フレーム構造を示す情報を受信し、
少なくとも１つの選択的に配置されるチャンネルに関係送信を実施する。
【００４０】
好ましくは、前記アップリンクランダムアクセスチャンネルと、アップリンク伝送チャンネル及びアップリンクスケジューリングリクエストチャンネルは、時間分割多重、周波分割多重、コード分割多重アクセスのいずれかまたは組合方式でリソースを分割多重する。
【００４１】
好ましくは、前記現在の物理フレーム構造は、伝送リソースの割り当てとスケジューリング、伝送リソースを占用するチャンネルの伝送フォーマットを示す情報を伝送するための制御チャンネルをさらに含む。
【００４２】
好ましくは、前記第２通信ユニットは、プリアンブルシーケンスを受信し、システム情報チャンネルで現在の物理フレーム構造を示す情報を受信し、制御チャンネルで、伝送リソースの割り当てとスケジューリング、および伝送リソースを占用するチャンネルの伝送フォーマットを示す情報を受信し、
少なくとも１つの選択的に配置されるチャンネルに関係送信を実施する。
【００４３】
好ましくは、前記第２通信ユニットは、プリアンブルシーケンスを受信し、システム情報チャンネルで一部の現在の物理フレーム構造を示す情報を受信し、その中、少なくとも制御チャンネルの時間の長さを含み、制御チャンネルでほかの部分の現在の物理フレーム構造を示す情報を受信し、制御チャンネルで伝送リソースの割り当てとスケジューリング、および伝送リソースを占用するチャンネルの伝送フォーマットを示す情報を受信し、
少なくとも１つの選択的に配置されるチャンネルに関係送信を実施する。
【００４４】
好ましくは、前記選択的に配置されるチャンネルは、ダウンリンクトラフィック、及び/またはダウンリンクシグナリング、及び/またはアップリンクトラフィックフィードバックを伝送するための第１ダウンリンク伝送チャンネルと、ダウンリンク探査信号を伝送するためのダウンリンク探査チャンネルと、ダウンリンクトラフィック、及び/またはダウンリンクシグナリング、及び/またはアップリンクトラフィックフィードバックを伝送するための第２ダウンリンク伝送チャンネルとを含む。
【００４５】
好ましくは、前記第２通信ユニットはプリアンブルシーケンスを受信するとともに、システム情報チャンネルで現在の物理フレーム構造を示す情報を受信し、
少なくとも１つの選択的に配置されるチャンネルに関係受信を実施する。
【００４６】
好ましくは、前記現在の物理フレーム構造は、伝送リソースの割り当てとスケジューリング、伝送リソースを占用するチャンネルの伝送フォーマットを示す情報を伝送するための制御チャンネルをさらに含む。
【００４７】
好ましくは、前記第２通信ユニットは、プリアンブルシーケンスを受信し、システム情報チャンネルで現在の物理フレーム構造を示す情報を受信し、制御チャンネルで、伝送リソースの割り当てとスケジューリング、および伝送リソースを占用するチャンネルの伝送フォーマットを示す情報を受信し、
少なくとも１つの選択的に配置されるチャンネルに関係受信を実施する。
【００４８】
好ましくは、前記第２通信ユニットは、プリアンブルシーケンスを受信し、システム情報チャンネルで一部の現在の物理フレーム構造を示す情報を受信し、その中、少なくとも制御チャンネルの時間の長さを含み、制御チャンネルでほかの部分の現在の物理フレーム構造を示す情報を受信し、制御チャンネルで伝送リソースの割り当てとスケジューリング、および伝送リソースを占用するチャンネルの伝送フォーマットを示す情報を受信し、
少なくとも１つの選択的に配置されるチャンネルに関係受信を実施する。
【００４９】
一つの実施例では、上記ネットワーク機器及び端末機器において、
前記現在の物理フレーム構造を示す情報は、第１チャンネルの存在性を示す情報を含む。
【００５０】
好ましくは、前記第１チャンネルは、ダウンリンク探査信号を伝送するためのダウンリンク探査チャンネルであることを特徴とする。
【００５１】
好ましくは、前記現在の物理フレーム構造を示す情報は、第２チャンネルの時間の長さを示す情報を含み、前記第２チャンネルの時間の長がゼロ以上である。
【００５２】
好ましくは、前記第２チャンネルは、ダウンリンク伝送チャンネルまたはアップリンク伝送チャンネルである。
【００５３】
好ましくは、前記第１チャンネルは、新ユーザアクセスをトリガーするためのアップリンクランダムアクセスチャンネルである。
【００５４】
一つの実施例では、上記ネットワーク機器及び端末機器において、
前記現在の物理フレーム構造を示す情報は、第１チャンネルの存在性及び時間の長さを示す情報を含む。
【００５５】
好ましくは、前記第１チャンネルは、アップリンク伝送リソーススケジューリングをトリガーするためのアップリンクスケジューリングリクエストチャンネルである。
【００５６】
好ましくは、前記第１チャンネルは、アップリンク探査信号を伝送するためのアップリンク探査チャンネルである。
【００５７】
好ましくは、前記現在の物理フレーム構造を示す情報は、第２チャンネルの時間の長さを示す情報を含み、前記第２チャンネルの時間の長がゼロ以上である。
【００５８】
好ましくは、前記第２チャンネルは、ダウンリンク伝送チャンネルまたはアップリンク伝送チャンネルである。
【００５９】
一つの実施例では、上記ネットワーク機器及び端末機器において、
前記現在の物理フレーム構造を示す情報は、第１チャンネルの時間の長さを示す情報を含み、前記第１チャンネルの時間の長がゼロ以上である。
【００６０】
好ましくは、前記第１チャンネルは、伝送リソースの割り当てとスケジューリング、伝送リソースを占用するチャンネルの伝送フォーマットを示す情報を伝送するための制御チャンネルである。
【００６１】
好ましくは、前記第１チャンネルは、ダウンリンク伝送チャンネルであることを特徴とする。
【００６２】
好ましくは、前記現在の物理フレーム構造を示す情報は、第２チャンネルの存在性及び時間の長さを示す情報を含む。
【００６３】
好ましくは、前記第２チャンネルは、アップリンク探査信号を伝送するためのアップリンク探査チャンネルである。
【００６４】
好ましくは、前記現在の物理フレーム構造を示す情報は、第２チャンネルの存在性を示す情報を含む。
【００６５】
好ましくは、前記第２チャンネルは、ダウンリンク探査信号を伝送するためのダウンリンク探査チャンネルであることを特徴とする。
【００６６】
好ましくは、前記第１チャンネルは、アップリンク伝送チャンネルであることを特徴とする。
【００６７】
好ましくは、前記現在の物理フレーム構造を示す情報は、第２チャンネルの存在性及び時間の長さを示す情報を含むことを特徴とする。
【００６８】
好ましくは、前記第２チャンネルは、アップリンク探査信号を伝送するためのアップリンク探査チャンネルであることを特徴とする。
【００６９】
好ましくは、前記現在の物理フレーム構造を示す情報は、第２チャンネルの存在性を示す情報を含むことを特徴とする。
【００７０】
好ましくは、前記第２チャンネルは、ダウンリンク探査信号を伝送するためのダウンリンク探査チャンネルであることを特徴とする。
【００７１】
本発明に関わる提案は、下記の機能を実現できる。
【００７２】
１、CAPが集中的に関連STAをスケジューリングして、異なるSTAに無線リソースを配分することで、競合メカニズムによる無線リソースの浪費を避ける。
【００７３】
２、動的TDDフレーム長とフレーム構造の配置、柔軟なアップ・ダウンリンクのリソース割合の配置を実現でき、室内場所に対しシステムの効率を向上し、制御掛かりとスケジューリング掛かりを節約し、伝送リソース要件に基づいて動的にアップ・ダウンリンク無線リソースを区分することにより、これから多様な種類かつ色々な特徴を有するデータ業務のアップ・ダウンリンク伝送要件に適応し、固定のフレームのサイズ約束がなく、フレームの構造が柔軟かつ変更可能であるとともに、実現するための複雑性を下げる。
【００７４】
３、小さい粒度でユーザーとアップリンクダウンリンク通信に無線リソースを配分し、リソース配分はトラフィックの変化によく自己適応すうことができ、各ユーザーとアップリンクダウンリンク通信に配した無線リソースがトラフィック要求とチャンネル伝送条件によく適応できる。
【００７５】
４、異なる端末における大きいトラフィックレート要求の変化に適応できるだけではなく、無線チャンネルの動的変化にもよく適応できる。本発明はさまざまなデータトラフィック要求の動的変化に適応することができ、チャンネル容量とトラフィック要求とを動的にマッチングさせ、優れたシステム効率が得られる。トラフィック要求とチャンネル特徴の間の均衡を保たせ、動的にアップリンクダウンリンクリンクリソースを区分して、リンク自己適応する条件を考慮すると、異なる端末に動的に無線リソースを配分するすることができる。
【００７６】
５、上記の特徴以外、本発明は、チャンネル状態情報遅延、等級が異なる機器の処理時間に対する要求なども考慮している。上記の考慮はいずれもシステム効率と性能を高める。
【００７７】
６、本フレームのフィードバックを実現でき、MU-MIMOフィードバックの遅延を減少させる。
【００７８】
７、本フレームのスケジューリングを実現でき、トラフィックのスケジューリング遅延を減少させる。
【００７９】
上記及び関連の目的のために、１つ又は複数の実施例は、後で詳しく説明し且つ特許請求の範囲で特に指摘されら特徴を含む。以下の説明、及び図面は一部の示例的な面を詳しく説明し、且つそれにより示されるものは各実施例の原則的に利用可能な各種方式における一部の方式のみである。その他の利点及び新規性特徴は、下記において詳しく説明するにつれて、図面を結合して考慮すると明らかになり、開示された実施例は、これらの面及びそれらの等価の全てを含む。
【図面の簡単な説明】
【００８０】
【図１】図１は、本発明実施例における無線通信システムの構造模式図である。
【図２】図２は、本発明実施例におけるネットワーク接続機器構造模式図である。
【図３】図３は、本発明実施例における端末機器の構造模式図である。
【図４】図４は、本発明実施例１における物理フレームの構造模式図である。
【図５】図５は、本発明実施例２における物理フレームの構造模式図である。
【図６ａ】図６ａは、本発明実施例３における第１つの物理フレームの第１種構造模式図である。
【図６ｂ】図６ｂは、本発明実施例３における第２物理フレームの構造模式図である。
【図７】図７は本発明実施例３における第１つの物理フレームの第２種構造模式図である。
【図８】図８は、本発明実施例４における第２物理フレームの構造模式図である。
【図９】図９は、本発明実施例５における物理フレームの構造模式図である。
【図１０】図１０は、本発明実施例６における物理フレームの構造模式図である。
【図１１】図１１は、本発明実施例７における物理フレームの構造模式図である。
【図１２】図１２は、本発明実施例８における物理フレームの構造模式図である。
【図１３】図１３は、本発明実施例９における物理フレームの構造模式図である。
【図１４】図１４は、本発明におけるＣＡＰによって予めリザーブしたアップリンク保護間隔を送信することを示す模式図である。
【図１５】図１５は、本発明実施例１０における物理フレームの構造模式図である。
【図１６】図１６は、アップリンク伝送チャンネル、アップリンクスケジューリングリクエストチャンネル及びアップリンクランダムアクセスチャンネルの多重リソースの模式図である。
【図１７】図１７は、制御チャンネル及びシステム情報チャンネルリソースル多重リソースの模式図である。
【図１８】図１８は、本発明実施例におけるリソーススケジューリングの方法を示すフローチャートである。
【図１９】図１９は、本発明応用実例１におけるダウンリンクスケジューリング及び伝送プロセスを示すフローチャートである。
【図２０】図２０は、本発明応用実例１におけるリソーススケジューリングプロセスを示す模式図である。
【図２１】図２１は、本発明応用実例１におけるアップリンクスケジューリング及び伝送プロセスを示すフローチャートである。
【図２２】図２２は、本発明応用実例２におけるリソーススケジューリングプロセスを示す模式図である。
【図２３】図２３は、本発明応用実例３におけるアップリンクスケジューリング及び伝送プロセスを示すフローチャートである。
【図２４】図２４は、本発明応用実例３におけるリソーススケジューリングプロセスを示す模式図である。
【図２５】図２５は、本発明応用実例４におけるアップリンクスケジューリング及び伝送プロセスを示すフローチャートである。
【図２６】図２６は、本発明応用実例４におけるリソーススケジューリングプロセスを示す模式図である。
【図２７】図２７は、本発明応用実例５におけるアップ・ダウンリンクスケジューリング伝送プロセスのシステムフレーム構造模式図である。
【図２８】図２８は、ダウンリンクシグナリング/フィードバック伝送チャンネル多重ＤＬ−ＴＣＨリソースの模式図である。
【図２９】図２９は、第１のアップリンクシグナリング/フィードバックチャンネルの構造模式図である。
【図３０】図３０は、分割多重の１例を示す模式図である。
【図３１】図３１は、アップリンクスケジューリングリクエストチャンネルの生成方法の模式図である。
【図３２】図３２は、ＰＮシーケンスの最大長線性フィードバックシフトレジスタのシーケンスである。
【図３３】図３３は、第１のアップリンクランダムアクセスチャンネルのフォーマットである。
【図３４】図３４は、第２のアップリンクランダムアクセスチャンネルのフォーマットである。
【図３５】図３５は、第３のアップリンクランダムアクセスチャンネルのフォーマットである。
【発明を実施するための形態】
【００８１】
当業者が本発明の具体的な実施方式を実施できるように、以下の記述及び図面はそれらを十分に示している。その他の実施方式は構成、論理、電気、過程及びその他の変更を含むことができる。実施例は可能な変更のみを代表している。明確なリクエストを除いて、単独な部品及び機能は選択でき、且つ操作の順は変更できる。一部の実施案の部分及び特徴はその他の実施案の部分及び特徴に含まれる、又は交替される。本発明の実施案の範囲は、特許請求の範囲の全部範囲、及び特許請求の範囲の全ての取得できる等同物を含む。本文において、本発明のこれらの実施案は、単独的又は総括的に『発明』という用語により表される。これは、便利にするために過ぎない。そして、事実上、１個以上の発明が公開されても、該応用の範囲が任意の単独な発明又は発明構想に自動的に規制するものではない。
【００８２】
本発明を採用すると、競争コンフリクトまたはランダム退避によって起こす無線リソースの浪費がないようにする。従来の移動通信システム（LTE, WiMax等次世代移動通信システムを含む）と違い、本発明は、動的に物理フレームの構造を設定することによって、フレーム構造を柔軟かつ変化可能にし、業務要件に応じて動的にアップ・ダウンリンク無線リソースを区分することができるとともに、動的にこれからの種類が豊富かつ各自特徴を有するデータ業務のアップ・ダウンリンク伝送要件によりよく適応することができる。また、当該システムは非常に小さなリソース粒子度を提供することができるので、異なる端末機器の大きな業務速率要件の変化に適応するだけではなく、無線チャンネルの動的変化によりよく適応することができる。本発明に関わる物理フレームのフレームのサイズは非固定であるで、物理フレームの構造によって確定され、室内での応用に対して制御掛かりとスケジューリング掛かりの減少に資することができるとともに、室外の快速変化の要求にも適応することができる。また実現の複雑性を下げることもできる。総じて言うと、本発明は業務要件とチャンネル特徴の間のバランスを取れ、動的にアップ・ダウンリンクリンクリソースを割り当て、リンクの自適応を考慮した上で、異なる端末機器のために動的に無線リソースを割り当てる。
【００８３】
本発明に関わる物理フレーム構造には、物理フレームにおける各部分の有無及び時間が含まれるため、動的に物理フレームの構造を設定するなら、物理フレームにどちらの部分を含むかを設定することができるし、各部分の時間を設定することもできる。本発明に関わる物理フレームのフレームのサイズは、物理フレームの構造によって確定され、非固定である。
【００８４】
本発明の実施例において、物理フレームはTDD二重方式（某特定キャリア、基地局又はCAPと端末やSTAが時分多重の受送信を組み替える）に基づいて、各の物理フレーム（Frame）は、ダウンリンク（DL、Downlinkで、CAPからSTA方向へ）サブフレーム、保護間隔とアップリンク（UL、Uplinkで、STAからCAP方向へ）サブフレームを含む。ダウンリンクサブフレームとアップリンクサブフレームの構造及び時間の動的に設定でき、各の物理フレームの構造及びフレームのサイズも動的に変化できる。
【００８５】
上記のダウンリンクサブフレームは、プリアンブルシーケンスと、システム情報チャンネルと、制御チャンネルと、ダウンリンク伝送チャンネル及びダウンリンク探測チャンネルを含む。
【００８６】
プリアンブルシーケンス（Preamble）は、短いプリアンブルシーケンスと長いプリアンブルシーケンスを含む。そのうち、短いプリアンブルシーケンスは主にフレームの検出、AGC、粗末な周波数の同期または粗末な記号の同期に用いられる。長いプリアンブルシーケンスは、システムの精確な同期、チャンネルの見積もり、精確な周波数の同期、精確な記号の同期などに用いられる。
【００８７】
システム情報チャンネルは、システム基本設定情報の送信に用いられる。そのうち、システム基本設定情報には、周波数帯設定、アンテナ設定、フレーム番号等を含む。
【００８８】
制御チャンネルは、伝送リソースの割り当てとスケジューリング、及び伝送リソースを占用するチャンネルの伝送フォーマットを示す情報を伝送する。具体的には、応用事例に応じて、制御チャンネルは、ダウンリンク伝送チャンネル、ダウンリンク探測チャンネル、アップリンク伝送チャンネル、アップリンク探測チャンネル、アップリンクスケジューリング要求チャンネルとアップリンクランダムアクセスチャンネル中の1つのまたは複数の伝送リソースの割り当てとスケジューリング、及びそれらチャンネルの伝送フォーマットを指示する。
【００８９】
ダウンリンク伝送チャンネルは、ダウンリンク業務、及び/またはダウンリンクシグナリング、及び/またはアップリンク業務フィードバックの送信に用いられる。これにより、ダウンリンク伝送チャンネルは機能によって、ダウンリンク業務伝送チャンネル、ダウンリンクシグナリングチャンネルとアップリンク業務フィードバックチャンネルに分ける。
【００９０】
ダウンリンク探測チャンネルは、ダウンリンク探測信号の伝送に用いられる。
【００９１】
上記のアップリンクサブフレームは、アップリンク探測チャンネルと、アップリンクスケジューリング要求チャンネルと、アップリンク伝送チャンネル及びアップリンクランダムアクセスチャンネルを含む。
【００９２】
アップリンク探測チャンネルは、アップリンク探測信号の伝送に用いられる。
【００９３】
アップリンクスケジューリング要求チャンネルは、アップリンク伝送リソーススケジューリングをトリガーすることに用いられる。
【００９４】
アップリンク伝送チャンネルは、アップリンク業務、及び/またはアップリンクシグナリングの送信、及び/またはダウンリンク業務フィードバック、及び/またはダウンリンクのチャンネル品質情報（CQI）フィードバック、及び/またはダウンリンクのチャンネル状態情報（CSI）フィードバックに用いられる。これにより、アップリンク伝送チャンネルは機能によって、アップリンク業務伝送チャンネルと、アップリンクシグナリングチャンネルと、ダウンリンク業務フィードバックチャンネルと、CQIフィードバックチャンネル及びCSIフィードバックチャンネルに分ける。または、前記CQIフィードバックチャンネルとCSIフィードバックチャンネルは、アップリンク伝送チャンネルとは別に独自存在する。
【００９５】
アップリンクランダムアクセスチャンネルは、新ユーザアクセスをトリガーすることに用いられる。
【００９６】
本発明実施例において、CAPとSTAのために送受信の転換時間を用意しておく必要がある。例えば：CAPとSTAは、ダウンリンクからアップリンクに転換する時、その無線周波チャネルは、送信または受信から受信または送信状態に転換する。CAPとSTAは、アップリンクからダウンリンクに転換する時、その無線周波チャネルは、受信または送信から送信または受信状態に転換する。上記の送受信の転換時間を用意するため、物理フレーム構造の中には、ダウンリンクとアップリンク転換を指示する保護間隔を含むことができる。詳しくは、２種類があり、１種は、ダウンリンクからアップリンクに転換するためのダウンリンク保護間隔（DGI）であり、１種は、アップリンクからダウンリンクに転換するためのアップリンク保護間隔（UGI）である。アップリンク保護間隔も早期保留を送信することにより、即ち、アップリンク送信の時間を繰り上げることにより、CAPとSTAのためにアップリンクからダウンリンクまで転換の保護間隔を保留する。
【００９７】
物理フレーム構造における各チャンネルの役割に基づいて、アップリンクスケジューリング要求チャンネル、アップリンクランダムアクセスチャンネル、ダウンリンク探測チャンネル、アップリンク探測チャンネルを補佐チャンネルと称する。
【００９８】
図１は、本発明の実施例に関わるシステム構造模式図であるである。このシステムの構成を以下に示す。
【００９９】
スケジューリングされた伝送リソースに基づいて現在の物理フレーム構造を確定し、現在の物理フレームで現在の物理フレーム構造を示す情報を送信する１つのCAP１１と、
現在の物理フレームの中で現在の物理フレーム構造を示す情報に基づいて、現在の物理フレーム構造を確定する少なくとも１つのCAP１１と通信できるSTA１２とを含む。
【０１００】
その中、それぞれの物理フレーム長はその構造に依存し、非固定値である。
【０１０１】
図２は、本発明の実施例に関わるネットワーク機器の構造模式図であるである。このネットワーク機器には、配置ユニット２１と第１通信ユニット２２を含む。
【０１０２】
配置ユニット２１は、スケジューリングされた伝送リソースに基づいて現在の物理フレーム構造を確定する。
【０１０３】
第１通信ユニット２２は、現在の物理フレームで現在の物理フレーム構造を示す情報を送信し、少なくとも１つの端末機器と通信を行う。
【０１０４】
それぞれの物理フレーム長はその構造に依存し、非固定値である。
【０１０５】
好ましい実施の形態では、配置ユニット２１は現在の物理フレームに、同期用プリアンブルシーケンスと、現在の物理フレーム構造を示す情報を送信するシステム情報チャンネルとを配置する。
【０１０６】
これに応して、第１通信ユニット２２は、プリアンブルシーケンスを送信するとともに、システム情報チャンネルで現在の物理フレーム構造を示す情報を送信する。
【０１０７】
別の好ましい実施の形態では、配置ユニット２１は、現在の物理フレームに同期用プリアンブルシーケンスと、現在の物理フレーム構造を示す情報のシステム情報チャンネルを配置する。選択的に現在の物理フレームに複数のチャンネルのうちの少なくとも１つを配置する。
【０１０８】
上記の複数のチャンネルには、次のようなケースが含まれる。
【０１０９】
１）上記の複数チャンネルは、ダウンリンクトラフィック、及び/またはダウンリンクシグナリング、及び/またはアップリンクトラフィックフィードバックを伝送するための第１ダウンリンク伝送チャンネルと、ダウンリンク探査信号を伝送するためのダウンリンク探査チャンネルと、ダウンリンクトラフィック、及び/またはダウンリンクシグナリング、及び/またはアップリンクトラフィックフィードバックを伝送するための第２ダウンリンク伝送チャンネルとを含む。
【０１１０】
また、これに応じて、第１通信ユニット２２はプリアンブルシーケンスを送信するとともに、システム情報チャンネルで現在の物理フレーム構造を示す情報を送信する。選択的に配置されるチャンネルに関係送信を実施する。
【０１１１】
また、配置ユニット２１が現在の物理フレーム構造を確定することは、伝送リソースの割り当てとスケジューリング、伝送リソースを占用するチャンネルの伝送フォーマットを示す情報を伝送するための制御チャンネルを現在の物理フレームに配置する。これに応じて、第１通信ユニット２２は、プリアンブルシーケンスを送信し、システム情報チャンネルで現在の物理フレーム構造を示す情報を送信する。制御チャンネルで、伝送リソースの割り当てとスケジューリング、および伝送リソースを占用するチャンネルの伝送フォーマットを示す情報を伝送する。選択的に配置されるチャンネルに関係送信を実施する。または、第１通信ユニット２２はプリアンブルシーケンスを送信し、前記システム情報チャンネルで一部の現在の物理フレーム構造を示す情報を送信する。その中、少なくとも制御チャンネルの時間の長さを含み、制御チャンネルでほかの部分の現在の物理フレーム構造を示す情報を送信する。制御チャンネルで伝送リソースの割り当てとスケジューリング、および伝送リソースを占用するチャンネルの伝送フォーマットを示す情報を伝送する。選択的に配置されるチャンネルに関係送信を実施する。
【０１１２】
２）上記の複数チャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバック、及び/またはダウンリンクCQIフィードバック、及び/またはダウンリンクCSIフィードバックを伝送するためのアップリンク伝送チャンネルと、新ユーザアクセスをトリガーするためのアップリンクランダムアクセスチャンネルとを含む。
【０１１３】
或いは、上記の複数チャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバックを伝送するためのアップリンク伝送チャンネルと、ダウンリンクCQIフィードバックを伝送するためのCQIフィードバックチャンネルと、ダウンリンクCSIフィードバックを伝送するためのCSIフィードバックチャンネルと、新ユーザアクセスをトリガーするためのアップリンクランダムアクセスチャンネルとを含む。
【０１１４】
また、これに応じて、第１通信ユニット２２はプリアンブルシーケンスを送信するとともに、システム情報チャンネルで現在の物理フレーム構造を示す情報を送信する。選択的に配置されるチャンネルに関係受信を実施する。
【０１１５】
また、配置ユニット２１が現在の物理フレーム構造を確定することは、伝送リソースの割り当てとスケジューリング、伝送リソースを占用するチャンネルの伝送フォーマットを示す情報を伝送するための制御チャンネルを現在の物理フレームに配置する。これに応じて、第１通信ユニット２２は、プリアンブルシーケンスを送信し、システム情報チャンネルで現在の物理フレーム構造を示す情報を送信する。制御チャンネルで、伝送リソースの割り当てとスケジューリング、および伝送リソースを占用するチャンネルの伝送フォーマットを示す情報を伝送する。選択的に配置されるチャンネルに関係受信を実施する。または、第１通信ユニット２２はプリアンブルシーケンスを送信し、システム情報チャンネルで一部の現在の物理フレーム構造を示す情報を送信する。その中、少なくとも制御チャンネルの時間の長さを含み、制御チャンネルでほかの部分の現在の物理フレーム構造を示す情報を送信する。制御チャンネルで伝送リソースの割り当てとスケジューリング、および伝送リソースを占用するチャンネルの伝送フォーマットを示す情報を伝送する。選択的に配置されるチャンネルに関係受信を実施する。
【０１１６】
図３は、本発明の実施例に関わる端末機器の構造模式図であるである。この端末機器に解析ユニット３１と第２通信ユニット３２を含む。
【０１１７】
解析ユニット３１は、現在の物理フレームの中で現在の物理フレーム構造を示す情報を解析して、現在の物理フレーム構造を確定する。
【０１１８】
第２通信ユニット３２は現在の物理フレーム内でネットワーク機器と通信する。
【０１１９】
その中、各物理フレーム長はその構造に依存し、非固定値である。
【０１２０】
好ましい実施の形態として、現在の物理フレームはプリアンブルシーケンスと、現在の物理フレーム構造を示す情報を持つシステム情報チャンネルで構成される。
【０１２１】
また、これに応じて、第２通信ユニット３２はプリアンブルシーケンスを受信するとともに、システム情報チャンネルで現在の物理フレーム構造を示す情報を受信する。
【０１２２】
別の好ましい実施の形態として、現在の物理フレームは、プリアンブルシーケンスと、現在の物理フレーム構造を示す情報を持つシステム情報チャンネルと、少なくとも１つの選択的に配置されるチャンネルとを含む。
【０１２３】
選択的に配置されるチャンネルには、次のようなケースが含まれる。
【０１２４】
１）上記選択的に配置されるチャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバック、及び/またはダウンリンクCQIフィードバック、及び/またはダウンリンクCSIフィードバックを伝送するためのアップリンク伝送チャンネルと、新ユーザアクセスをトリガーするためのアップリンクランダムアクセスチャンネルとを含む。
【０１２５】
或いは、上記の複数チャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバックを伝送するためのアップリンク伝送チャンネルと、ダウンリンクCQIフィードバックを伝送するためのCQIフィードバックチャンネルと、ダウンリンクCSIフィードバックを伝送するためのCSIフィードバックチャンネルと、新ユーザアクセスをトリガーするためのアップリンクランダムアクセスチャンネルとを含む。
【０１２６】
また、第２通信ユニット３２はプリアンブルシーケンスを受信するとともに、システム情報チャンネルで現在の物理フレーム構造を示す情報を受信する。少なくとも１つの選択的に配置されるチャンネルに関係送信を実施する。
【０１２７】
また、現在の物理フレーム構造は、伝送リソースの割り当てとスケジューリング、伝送リソースを占用するチャンネルの伝送フォーマットを示す情報を伝送するための制御チャンネルをさらに含む。これに応じて、第２通信ユニット３２は、プリアンブルシーケンスを受信し、システム情報チャンネルで現在の物理フレーム構造を示す情報を受信する。制御チャンネルで、伝送リソースの割り当てとスケジューリング、および伝送リソースを占用するチャンネルの伝送フォーマットを示す情報を受信する。少なくとも１つの選択的に配置されるチャンネルに関係送信を実施する。または、第２通信ユニット３２はプリアンブルシーケンスを受信し、システム情報チャンネルで一部の現在の物理フレーム構造を示す情報を受信する。その中、少なくとも制御チャンネルの時間の長さを含み、制御チャンネルでほかの部分の現在の物理フレーム構造を示す情報を受信する。制御チャンネルで伝送リソースの割り当てとスケジューリング、および伝送リソースを占用するチャンネルの伝送フォーマットを示す情報を受信する。少なくとも１つの選択的に配置されるチャンネルに関係送信を実施する。
【０１２８】
２）選択的に配置されるチャンネルは、ダウンリンクトラフィック、及び/またはダウンリンクシグナリング、及び/またはアップリンクトラフィックフィードバックを伝送するための第１ダウンリンク伝送チャンネルと、ダウンリンク探査信号を伝送するためのダウンリンク探査チャンネルと、ダウンリンクトラフィック、及び/またはダウンリンクシグナリング、及び/またはアップリンクトラフィックフィードバックを伝送するための第２ダウンリンク伝送チャンネルとを含む。
【０１２９】
また、これに応じて、第２通信ユニット３２はプリアンブルシーケンスを受信するとともに、システム情報チャンネルで現在の物理フレーム構造を示す情報を受信する。少なくとも１つの選択的に配置されるチャンネルに関係受信を実施する。
【０１３０】
また、現在の物理フレーム構造は、伝送リソースの割り当てとスケジューリング、伝送リソースを占用するチャンネルの伝送フォーマットを示す情報を伝送するための制御チャンネルをさらに含む。これに応じて、第２通信ユニット３２は、プリアンブルシーケンスを受信し、システム情報チャンネルで現在の物理フレーム構造を示す情報を受信する。制御チャンネルで、伝送リソースの割り当てとスケジューリング、および伝送リソースを占用するチャンネルの伝送フォーマットを示す情報を受信する。少なくとも１つの選択的に配置されるチャンネルに関係受信を実施する。または、第２通信ユニット３２はプリアンブルシーケンスを受信し、システム情報チャンネルで一部の現在の物理フレーム構造を示す情報を受信する。その中、少なくとも制御チャンネルの時間の長さを含み、制御チャンネルでほかの部分の現在の物理フレーム構造を示す情報を受信する。制御チャンネルで伝送リソースの割り当てとスケジューリング、および伝送リソースを占用するチャンネルの伝送フォーマットを示す情報を受信する。少なくとも１つの選択的に配置されるチャンネルに関係受信を実施する。
【０１３１】
これにより、本発明実施例では、ネットワーク機器は、スケジューリングされた伝送リソースに基づいて現在の物理フレーム構造を配置し、現在の物理フレームの中で現在の物理フレーム構造を示す情報を送信する。端末機器は現在の物理フレーム構造を示す情報に基づいて、現在の物理フレーム構造を確定することができる。
【０１３２】
以下に、ネットワーク機器がCAPで、端末機器がSTAである場合を例に、説明する。
【０１３３】
本発明の実施例では、CAPは次のような２つの方法により現在の物理フレーム構造を示す情報を送信してもよい。
【０１３４】
方法１：システム情報チャンネルで現在の物理フレーム構造を示す情報を送信する。
【０１３５】
現在の物理フレーム構造を示す情報は、チャンネル存在性を示す情報、チャンネルの存在性と時間の長さを示す情報、チャンネルの時間の長さを示す情報のうちの１種以上を含む。
【０１３６】
CAPに関連するSTAは、システム情報チャンネルにおける現在の物理フレーム構造を示す情報を解析し、現在の物理フレーム構造を確定することができる。現在の物理フレームにおけるそれぞれのチャンネルの時間の長さを加算することにより、現在の物理フレーム長を得る。
【０１３７】
好ましくは、CAPはシステム情報チャンネルで現在の物理フレームのフレーム長情報を送信することもできる。この時、CAPに関連するSTAは直接現在の物理フレームのフレーム長を確定することができるので、計算する必要はない。
【０１３８】
方法２：システム情報チャンネルと制御チャンネルで現在の物理フレーム構造を示す情報を送信する。
【０１３９】
現在の物理フレーム構造を示す情報を送信し、次のような１種または何種類を含む：チャンネル存在性を示す情報、チャンネルの存在性と時間を示す情報、チャンネルの時間を示す情報。
【０１４０】
CAPはシステム情報チャンネルで一部の現在の物理フレーム構造を示す情報を送信する。この部分の現在の物理フレーム構造を示す情報には少なくとも制御チャンネルの時間の長さを含む。制御チャンネルで別の部分の現在の物理フレーム構造を示す情報を送信する。
【０１４１】
CAPに関連するSTAは、現在の物理フレーム構造を示す情報を解析し、現在の物理フレーム構造を確定することができる。現在の物理フレームの中の各チャンネルの時間の長さを加算することにより、現在の物理フレームのフレーム長を得る。
【０１４２】
更に、CAPはシステム情報チャンネルに現在の物理フレームのフレーム長情報を送信することができる。CAPに関連するSTAは直接に現在の物理フレームのフレーム長を獲得することができるので、計算する必要はない。または、CAPは、システム情報チャンネルと制御チャンネルで現在の物理フレームのフレーム長情報を送信することができる。この時、CAPに関連するSTAはシステム情報チャンネルと制御チャンネルの中の２部分のフレーム長を加算することにより、現在の物理フレームのフレーム長を得る。
【０１４３】
以下に、具体的な実施例を挙げて、いずれもアップリンク伝送チャンネル経由でダウンリンクCQIのフィードバック及びダウンリンクCSIのフィードバックを例にする。
【０１４４】
実施例１
図４は本発明実施例１に関わる物理フレームの構造模式図であるである。そのうち、横座標は時間を示し、縦座標は周波数またはコードワードを示す。物理フレームにプリアンブルシーケンスとシステム情報チャンネルを含む。
【０１４５】
CAPは、プリアンブルシーケンスを送信することと、システム情報チャンネルで現在の物理フレーム構造を示す情報を送信することとを実行する。
【０１４６】
本実施例１に関わるシステム情報チャンネルは次のようなフィールドを含む。
【０１４７】
（１）  制御チャンネル時間長指示フィールド
制御チャンネルの時間の長さを示し、制御チャンネル時間長指示フィールドは６ビットであってもよく、最大で６３個のOFDMシンボルを示す。１つのOFDMシンボルは最小のリソース割り当て単位である。例えば、この６ビットは０１００００とすると、十進数に転換すれば１６となり、即ち１６個のOFDMシンボルに対応する。
【０１４８】
（２）  ダウンリンク伝送チャンネル時間長指示フィールド
ダウンリンク伝送チャンネルの時間の長さを示し、ダウンリンク伝送チャンネル時間長指示フィールドは９ビットに配置可能であり、最大で５１１個のOFDMシンボルを示す。例えば、この９ビットは１００００００００とすると、十進数に転換すれば２５６、即ち２５６個のOFDMシンボルに対応する。
【０１４９】
（３）  アップリンク伝送チャンネル時間長指示フィールド
アップリンク伝送チャンネルの時間の長さを示し、アップリンク伝送チャンネル時間長指示フィールドは９ビットに配置可能であり、最大で５１１個のOFDMシンボルを示す。
【０１５０】
（４）  ダウンリンク探査チャンネル配置フィールド
ダウンリンク探査チャンネルの存在性を示す。本実施例１において、ダウンリンク探査チャンネルの時間の長さは固定で、ダウンリンク探査チャンネル配置フィールドは１ビットであってもよい。このビットはダウンリンク探査チャンネルが存在することを示す場合、このダウンリンク探査チャンネルが固定時間の長さであることを間接に示すことに相当する。
【０１５１】
（５）  アップリンク探査チャンネル配置フィールド
アップリンク探査チャンネルの存在性及び時間の長さを示す。アップリンク探査チャンネル配置フィールドは２ビットでもよい。例えば００と記入すれば、アップリンク探査チャンネル無しを示し、０１と記入すれば、アップリンク探査チャンネルが１つのOFDMシンボルを占用することを示し、１０と記入すれば、アップリンク探査チャンネルが２個のOFDMシンボルを占用することを示し、１１と記入すれば、アップリンク探査チャンネルが４個のOFDMシンボルを占用することを示す。
【０１５２】
（６）  アップリンクスケジューリングリクエストチャンネル配置フィールド
アップリンクスケジューリングリクエストチャンネルの存在性及び時間の長さを示す。アップリンクスケジューリングリクエストチャンネル配置フィールドは２ビットでもよい。例えば００と記入すれば、アップリンクスケジューリングリクエストチャンネル無しを示し、０１と記入すれば、アップリンクスケジューリングリクエストチャンネルが１つのOFDMシンボルを占用することを示し、１０と記入すれば、アップリンクスケジューリングリクエストチャンネルが２個のOFDMシンボルを占用することを示し、１１と記入すれば、アップリンクスケジューリングリクエストチャンネルが４個のOFDMシンボルを占用することを示す。
【０１５３】
（７）  アップリンクランダムアクセスチャンネル配置フィールド
アップリンクランダムアクセスチャンネルの存在性を示す。本実施例１において、アップリンクランダムアクセスチャンネルの時間の長さは固定で、アップリンクランダムアクセスチャンネル配置フィールドは１ビットでもよい。このビットはアップリンクランダムアクセスチャンネルが存在することを示す場合、このアップリンクランダムアクセスチャンネルが固定時間の長さであることを間接に示すことに相当する。
【０１５４】
これにより、システム情報チャンネルは、フィールド（１）−れがチャンネルの時間の長さ情報を示し、フィールド（４）と（７）がチャンネルの存在性の情報を示し、フィールド（５）と（６）がチャンネルの存在性及び時間の長さの情報を示す。
【０１５５】
その他の応用シーンの場合、上記のダウンリンク探査チャンネルとアップリンクランダムアクセスチャンネルは非固定時間の長さでもよい。この時、ダウンリンク探査チャンネル配置フィールドとアップリンクランダムアクセスチャンネル配置フィールドが、多ビットでチャンネルの存在性及び時間、またはチャンネルの時間情報を示してもよい。
【０１５６】
本実施例１に関わる物理フレーム構造は制御チャンネル、ダウンリンク伝送チャンネル、ダウンリンク探査チャンネル、アップリンク伝送チャンネル、アップリンク探査チャンネル、アップリンクランダムアクセスチャンネルとアップリンクスケジューリングリクエストチャンネルを含まないので、CAPは制御チャンネル時間長指示フィールド、ダウンリンク伝送チャンネル時間長指示フィールドとアップリンク伝送チャンネル時間長指示フィールドには時間の長さ０と記入され、ダウンリンク探査チャンネル配置フィールドとアップリンクランダムアクセスチャンネル配置フィールドにはチャンネルが存在しないことを示す数値が記入され、アップリンク探査チャンネル配置フィールドとアップリンクスケジューリングリクエスト配置フィールドにはチャンネルが存在しないことを示す数値が記入される。
【０１５７】
本実施例１において、プリアンブルシーケンスとシステム情報チャンネルの時間の長さは予め設定され、CAPとSTAはいずれもこの事前設定の状況を知っているため、STAはシステム情報チャンネルから現在の物理フレーム構造を示す情報を解析することで、現在の物理フレームにはプリアンブルシーケンスとシステム情報チャンネルのみを含むことを確定するので、現在の物理フレームで送信を実行せず、関連する受信のみを実行する。
【０１５８】
実施例２
図５は本発明実施例２に関わる物理フレームの構造模式図である。そのうち、横座標は時間を示し、縦座標は周波数またはコードワードを示す。物理フレームはプリアンブルシーケンス、システム情報チャンネル、ダウンリンク保護間隔、アップリンクスケジューリングリクエストチャンネル、及びアップリンクランダムアクセスチャンネルを含む。
【０１５９】
CAPは、プリアンブルシーケンスを送信することと、システム情報チャンネルで現在の物理フレーム構造を示す情報を送信することとを実行する。
【０１６０】
好ましくは、本実施例２におけるダウンリンク保護間隔時間の長さを、CAPによって現在の物理フレーム構造を示す情報に持たせる。この時、システム情報チャンネルは実施例１に記載するフィールドに加え、保護間隔の指示フィールドを有してもよい。このフィールドは多ビットでダウンリンク保護間隔の時間の長さを示してもよく、または、保護間隔が固定時間の長さを有する場合、このフィールドは１ビットだけでダウンリンク保護間隔の存在性を示してもよい。
【０１６１】
好ましくは、本実施例２に記載するダウンリンク保護間隔時間の長さを、CAPによってダウンリンク伝送チャンネル周期的ブロードキャストのブロードキャスト情報フレーム（BCF）に持たせる。BCFでは、２ビットでダウンリンク保護間隔の時間の長さを示し、例えば数値は０の場合、ダウンリンク保護間隔は２個のOFDMシンボル、数値は１の場合、ダウンリンク保護間隔は４個のOFDMシンボルを示す。STAはCAPが存在する無線ネットワークにアクセスする過程、及びアクセスに成功した後に、周期的にBCFを検出することにより、ダウンリンク保護間隔の時間の長さを取得する。この時、CAPは物理フレームごとに再びダウンリンク保護間隔の時間の長さを示す必要がなくなり、システム情報チャンネルのオーバーヘッドを節約する。
【０１６２】
STAは現在の物理フレームの構造を確定することにより、現在の物理フレームでは関連する受信を実行するほか、次のような送信動作を選択的に実行することもできる。
【０１６３】
アップリンクランダムアクセスチャンネルでランダムアクセスリクエストシーケンスを送信することにより、CAPはランダムアクセスリクエストのリソースを割り当てて送信することをトリガーする。
【０１６４】
アップリンクスケジューリングリクエストチャンネルでアップリンクスケジューリングシーケンスを送信することにより、CAPはアップリンクスケジューリングリクエストのリソースを割り当てて送信するをトリガーする。または、アップリンクスケジューリングリクエストチャンネルで快速シグナリングフィードバックを送信する。
【０１６５】
本実施例２において、STAは競合によりアップリンクランダムアクセスチャンネルとアップリンクスケジューリングリクエストチャンネルの伝送リソースを取得する。そこで、CAPは制御チャンネルで２つのチャンネルへのリソース指示の送信が必要なく、制御チャンネルの配置をしなくてもよい。
【０１６６】
好ましくは、本実施例２に記載する物理フレーム構造にも、アップリンクランダムアクセスリクエストチャンネルとアップリンクスケジューリングリクエストチャンネルのいずれかのみを含んでもよい。
【０１６７】
実施例３
本実施例３の応用シーンは、CAPはSTAに対してダウンリンクトラフィック伝送の要求があること、ダウンリンクトラフィック伝送前にチャンネル探査を行う必要があること、STAはアップリンクトラフィック、アップリンクシグナリングまたはダウンリンクトラフィックフィードバックの要求がないことを含むとする。
【０１６８】
第１の好ましい実施の形態として、CAPは２つの物理フレームでダウンリンクトラフィック伝送を完成する。図６aと図６bに示すように、そのうち、横座標は時間を示し、縦座標は周波数またはコードワードを示す。
【０１６９】
第１の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することと、ダウンリンク探査チャンネルでダウンリンク探査信号を送信することとを実行する。STAは現在の物理フレーム構造を示す情報を介して、第１の物理フレームの構造を確定し、これによって第１の物理フレームで次のような送信動作を実行することを確定することができる。
【０１７０】
アップリンク伝送チャンネルからCAPへダウンリンクチャンネル測定結果をフィードバックされる。ここのダウンリンクチャンネル測定結果は、STAによりCAPの送信したダウンリンク探査信号に基づいてダウンリンクチャンネルを測定してから得られるものであり、ダウンリンクのCQI、または、ダウンリンクのCQIとダウンリンクのCSIを含む。第２の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することと、ダウンリンク伝送チャンネルでダウンリンクトラフィックデータを送信することとを実行する。
【０１７１】
STAは現在の物理フレーム構造を示す情報によって、第２の物理フレームの構造を確定することにより、第２の物理フレームで送信動作を実行しないことを確定する。
【０１７２】
第２の好ましい実施の形態として、CAPは２つの物理フレームでダウンリンクトラフィック伝送を完成する。図７と図６bに示すように、そのうち、横座標は時間を示し、縦座標は周波数またはコードワードを示す。
【０１７３】
第１の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することとを実行する。
【０１７４】
STAは第１の物理フレームの構造を確定することにより、第１の物理フレームで次のような送信動作を実行することを確定する。
【０１７５】
STAはアップリンク探査チャンネルでCAPへアップリンク探査信号を送信することにより、CAPがこのアップリンク探査信号によりアップリンクチャンネル品質の測定を行うか、またはアップリンクチャンネル品質とアップリンクチャンネル状態の測定を行う。アップダウンリンク互換性の原理に基づいて、ダウンリンクチャンネルのCQI、またはダウンリンクチャンネルのCQIとCSIを得る。
【０１７６】
第２の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することと、ダウンリンク伝送チャンネルでダウンリンクトラフィックデータを送信することとを実行する。
【０１７７】
STAは現在の物理フレーム構造を示す情報により、第２の物理フレームの構造を確定することにより、第２の物理フレームで送信動作を実行しないことを確定する。
【０１７８】
上記の２つの実施の形態において、CAPとSTAが送信動作を実行する角度から説明する。CAPが送信を実行する時、STAは関連する受信を実行する。STAが送信を実行する時、CAPは関連する受信を実行する。
【０１７９】
上記の２つの実施の形態において、CAPは実施例２と同様な２つの好ましい実施の形態により、ダウンリンク保護間隔を示す。そのうち、第１種の場合、システム情報チャンネルは実施例１に記載するフィールドに加え、保護間隔の指示フィールドを有してもよく、このフィールドは多ビットでダウンリンク保護間隔の時間の長さを示してもよく、または、保護間隔が固定時間の長さを有する場合、このフィールドは１ビットだけでダウンリンク保護間隔の存在性を示してもよい。第２種の場合、システム情報チャンネルは実施例と同様なフィールドを有する。
【０１８０】
上記の２つの実施の形態において、もしCAPは前記の方式２を用いて現在の物理フレーム構造を示す情報を送信すると、第２の物理フレームを例にし、システム情報チャンネルの制御チャンネル時間長指示フィールドに該当の数値を記入し、制御チャンネルで９ビットでダウンリンク伝送チャンネルの時間の長さを示す。
【０１８１】
上記の２つの実施の形態において、もしダウンリンクトラフィックを伝送する前にチャンネル探査をしないと、CAPは図６bに示す１つの物理フレームでダウンリンクトラフィック伝送を完成することができる。
【０１８２】
上記の２つの実施の形態において、第１の物理フレームと第２の物理フレームは連続または非連続でよい。
【０１８３】
上記の２つの実施の形態を除き、ダウンリンクトラフィックを伝送する前、ダウンリンク探査チャンネルとアップリンク探査チャンネルに基づいてチャンネル探査を行ってもよい。即ち第１の物理フレームにダウンリンク探査チャンネル、アップリンク探査チャンネルとアップリンク伝送チャンネルを同時に配置する。この時、CAPはSTAから送信されたアップリンク探査信号でアップリンクチャンネル状態の測定を行い、アップダウンリンク互換性に基づいてダウンリンクのCSIを取得し、STAがアップリンク伝送チャンネルでフィードバックしたダウンリンクのCQIを受信する。または、CAPはSTAから送信されたアップリンク探査信号でアップリンクチャンネル品質測定を行い、アップリンクダウンリンク互換性に基づいてダウンリンクのCQIを取得し、STAがアップリンク伝送チャンネルでフィードバックしたダウンリンクのCSIを受信する。
【０１８４】
上記の２つの実施の形態において、１つの物理フレームでチャンネル探査を完成することを例として説明したが、実際の応用の場合、複数の物理フレームを用いてチャンネル探査を行ってもよい。ここでは重複しない。
【０１８５】
実施例４
本実施例４の応用シーンは、STAにアップリンクトラフィック伝送の要求があること、アップリンクトラフィックを伝送する前にチャンネル探査を行わなければならないこと、CAPにダウンリンクトラフィック、ダウンリンクシグナリングまたはアップリンクトラフィックフィードバック要求がないことを含むとする。
【０１８６】
第１の好ましい実施の形態として、CAPがSTAにアップリンクトラフィック伝送の要求があることを知っている場合、STAは２つの物理フレームを介してアップリンク伝送を完成しなければならない。図７と図８に示すように、そのうち、横座標は時間を示し、縦座標は周波数またはコードワードを示す。
【０１８７】
第１の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することとを実行する。
【０１８８】
STAは現在の物理フレームの構造を確定することにより、第１物理フレームで次のような送信動作を実行することを確定する。
【０１８９】
アップリンク探査チャンネルでCAPへアップリンク探査信号を送信することにより、CAPがこのアップリンク探査信号でアップリンクチャンネル品質測定を行い、アップリンクのCQIを取得し、またはアップリンクチャンネル品質測定とアップリンクチャンネル状態測定を行うことで、アップリンクのCQIとCSIを得る。
【０１９０】
第２の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することとを実行する。
【０１９１】
STAは現在の物理フレームの構造を確定することにより、第２の物理フレームで次のような送信動作を実行することを確定する。
【０１９２】
アップリンク伝送チャンネルでアップリンクトラフィックデータを送信する。
【０１９３】
第２の好ましい実施の形態として、CAPがSTAにアップリンクトラフィック伝送の要求があることを知っている場合、STAは２つの物理フレームを介してアップリンク伝送を完成しなければならない。図６aと図８に示すように、そのうち、横座標は時間を示し、縦座標は周波数またはコードワードを示す。
【０１９４】
第１の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することと、ダウンリンク探査チャンネルでダウンリンク探査信号を送信することとを実行する。
【０１９５】
STAは現在の物理フレームの構造を確定することにより、第１物理フレームで次のような送信動作を実行することを確定する。
【０１９６】
アップリンク伝送チャンネルでCAPへダウンリンクのCQI、またはダウンリンクのCQIとCSIを送信することにより、CAPがアップダウンリンク互換性の原理に基づいてアップリンクのCQI、またはアップリンクのCQIとCSIを得る。
【０１９７】
第２の物理フレームにおいて、CAPは、プリアンブルシーケンスを送信することと、システム情報チャンネルで現在の物理フレーム構造を示す情報を送信することと、制御チャンネルで伝送リソースの割り当てとスケジューリング、及び伝送リソースを占用するチャンネルの伝送フォーマットを示す情報を送信することとを実行する。
【０１９８】
STAは現在の物理フレームの構造を確定することにより、第２の物理フレームで次のような送信動作を実行することを確定する。
【０１９９】
アップリンク伝送チャンネルでアップリンクトラフィックデータを送信する。
【０２００】
上記の２つの実施の形態において、CAPとSTAが送信を実行する視点に立って説明すると、CAPが送信を実行する時、STAは関連する受信を実行する。STAが送信を実行する時、CAP関連する受信を実行する。
【０２０１】
上記の２つの実施の形態において、CAPは実施例２と同様な２つの好ましい実施の形態を通じて、ダウンリンク保護間隔をスケジューリングすることができる。そのうち、第１種の場合、システム情報チャンネルは実施例１に記載するフィールドを基に、保護間隔のスケジューリングフィールドを保有する。このフィールド多ビットを用いてダウンリンク保護間隔の時間をスケジューリングする。または、保護間隔が固定時間を保有する場合、このフィールドは１ビットだけでダウンリンク保護間隔の存在性をスケジューリングしてもよい。第２種の場合、システム情報チャンネルは実施例と同様なフィールドを保有してもよい。上記の２つの実施の形態において、CAPが前記の方式２を用いて現在の物理フレーム構造を示す情報を送信し、第２の物理フレームを例に、システム情報チャンネルでの制御チャンネル時間スケジューリングフィールドに該当の数値を記入し、制御チャンネルで９ビットを用いてアップリンク伝送チャンネルの時間をスケジューリングする。
【０２０２】
上記の２つの実施の形態において、もしアップリンクチャンネル測定をしないと、CAPはアップリンク探査チャンネルを配置しなくてもよい。図８に示す１つの物理フレームでアップリンクトラフィック伝送を完成する。
【０２０３】
上記の２つの実施の形態において、CAPは第１の物理フレームでダウンリンク探査チャンネル、アップリンク探査チャンネルとアップリンク伝送チャンネルを同時配置することもできる。この時、CAPはSTAの第１の物理フレームにおけるアップリンク探査チャンネルで送信したアップリンク探査信号を通じてアップリンクチャンネル状態測定を行い、アップリンクのCSIを得る。STAが第１の物理フレームのアップリンク伝送チャンネルでフィードバックしたダウンリンクのCQIを受信し、アップリンクダウンリンク互換性に基づいてアップリンクのCQIを得るとか、または、CAPがSTAの第１の物理フレームのアップリンク探査チャンネルで送信したアップリンク探査信号を通じてアップリンクチャンネル品質測定を行い、アップリンクのCQIを得るとか、STAが第１の物理フレームのアップリンク伝送チャンネルでフィードバックしたダウンリンクのCSIを受信し、アップリンクダウンリンク互換性に基づいてアップリンクのCSIを得る。
【０２０４】
上記の２つ実施の形態において、１つの物理フレームでチャンネル探査を完成することを例に説明する。実用の場合に、複数物理フレームを通じてチャンネル探査を完成してもよいので、ここで重複しない。
【０２０５】
上記の実施例１〜９は、それぞれ最も簡単な実施例に対し、可能な物理フレーム構造を数種挙げている。その目的として、本発明実施例に関わる物理フレームにおいて、伝送チャンネルと相応な探査チャンネルの関連性を説明することである。実施例ではそれよりも複雑になる場合が多い。例えばシステムに複数STAが存在して、CAPと各STAへ各自異なる伝送の要求があり、STAベースでチャンネル探査に対応可能かを評価すると、アップリンクダウンリンクの伝送前にチャンネル探査が必要であることもあるし、アップリンクダウンリンクの伝送前、チャンネル探査が不要であることもある。次の実施例はそれぞれその他の応用の場合に配置可能な物理フレーム構造を挙げる。
【０２０６】
実施例５
図９は本発明実施例５に関わる物理フレームの構造模式図である。
【０２０７】
図９に示すように、物理フレームにダウンリンクサブフレームとアップリンクサブフレームを含む。ダウンリンクサブフレームにプリアンブルシーケンス、システム情報チャンネル、制御チャンネルとダウンリンク伝送チャンネルを含む。アップリンクサブフレームにアップリンク伝送チャンネルを含む。
【０２０８】
各STAは時間分割、周波分割、コード分割、空間分割または上記の分割多重方式の組合を通じてアップリンク伝送リソースを共有化することができる。
【０２０９】
好ましくは、CAPはシステム情報チャンネルで現在の物理フレーム構造を示す情報を送信する。事例を次にあげる。
【０２１０】
６ビットで制御チャンネルの時間をスケジューリングする。この６ビットは最大で６３個OFDMシンボルのスケジューリングが可能である。例えば：この６ビットは０１００００、十進数に転換すれば１６で、１６個OFDMシンボルに対応する。
【０２１１】
システム情報チャンネルにおいて、９ビットでダウンリンク伝送チャンネル時間をスケジューリングし、最大で５１１のOFDMシンボル。例えば：この９ビットは１００００００００、十進数に転換すれば２５６で、２５６個OFDMシンボルに対応する。
【０２１２】
システム情報チャンネルにおいて、９ビットでアップリンク伝送チャンネル時間をスケジューリングし、最大で５１１のOFDMシンボル。
【０２１３】
システム情報チャンネルにおいて、１ビットだけで保護間隔をスケジューリングすることができる。計１のOFDMシンボル。または、システム情報チャンネルで保護間隔を支持しなくてもよく、システムで配置されておく。好ましくは、CAPもシステム情報チャンネルと制御チャンネルで現在の物理フレーム構造を示す情報を送信する。事例を次にあげる。
【０２１４】
システム情報チャンネルにおいて、６ビットで制御チャンネル時間を送信する。制御チャンネルにおいて、９ビットでダウンリンク伝送チャンネル時間を送信し、９ビットでアップリンク伝送チャンネル時間を送信する。
【０２１５】
図９の物理フレーム構造に基づいて、アップリンクダウンリンクの伝送中、シグナリングとトラフィックを分離させることができる。
【０２１６】
実施例６
図１０は本発明実施例１０に関わる物理フレームの構造模式図である。
【０２１７】
図１０に示すように、図９を基に、ダウンリンクサブフレームにダウンリンク探査チャンネルが配置されている。ダウンリンク探査チャンネルの存在性情報はCAPが送信した現在の物理フレーム構造を示す情報に含んで、１ビットで実現可能である。システム情報チャンネルで送信されるもの。図１０に示すように、ダウンリンク探査チャンネルはダウンリンク伝送チャンネルの後ろに位していい。
【０２１８】
実施例７
図１１は本発明実施例７に関わる物理フレームの構造模式図である。ダウンリンク探査チャンネルはダウンリンク伝送チャンネルの真ん中に位する。
【０２１９】
MU-MIMO伝送計画において、ダウンリンクMU-MIMOシステム性能がダウンリンクチャンネル状態情報の遅延に敏感するだけではなく、マルチユーザMIMOが大きな信号処理の複雑性がある。チャンネル状態情報の遅延、及び実施例によって各々のハードウェア処理の複雑性が異なることを鑑みて、ダウンリンク探査チャンネルはダウンリンク伝送チャンネルの真ん中に位すれば、より合理的だ。ダウンリンク探査チャンネル位置が固定であれば、システム情報チャンネルで１ビットでダウンリンク探査チャンネルの存在性をスケジューリングすることができる。システムに処理能力の異なるSTAが存在すれば、ダウンリンク探査チャンネル位置は変化可。この時、システム情報チャンネルでダウンリンク探査チャンネルの存在性だけではなく、図１１に示す２つのダウンリンク伝送チャンネルの時間をスケジューリングする必要がある。２つのダウンリンク伝送チャンネルの時間は次のような３種の方法を採用していい：
それぞれダウンリンク伝送チャンネル１とダウンリンク伝送チャンネル２の時間をスケジューリングする。  
それぞれダウンリンク伝送チャンネル総時間とダウンリンク伝送チャンネル１の時間をスケジューリングする。  
それぞれダウンリンク伝送チャンネル総時間とダウンリンク伝送チャンネル２の時間をスケジューリングする。
【０２２０】
上記の動的または半静的に配置されるダウンリンク探査チャンネル位置を通じて、処理能力の異なる機器に十分な処理時間を提供する。
【０２２１】
好ましくは、CAPがシステム情報チャンネルで現在の物理フレーム構造を示す情報を送信していい。例えば：６ビットで制御チャンネル時間をスケジューリングする。９ビットでダウンリンク伝送チャンネル総時間をスケジューリングし、７ビットでダウンリンク伝送チャンネル２の時間をスケジューリングする。９ビットでアップリンク伝送チャンネル時間をスケジューリングする。２ビットでダウンリンク探査チャンネルをスケジューリングする。それぞれダウンリンク探査チャンネル無し、ダウンリンク探査チャンネル位置１、ダウンリンク探査チャンネル位置２とダウンリンク探査チャンネル位置３、各々のSounding帯域幅の整合に用いられることをスケジューリングする。ダウンリンク探査チャンネル位置１、２、３いずれもシステム定義の確定位置である。
【０２２２】
好ましくは、CAPはシステム情報チャンネルと制御チャンネルで現在の物理フレーム構造を示す情報を送信していい。例えば、システム情報チャンネルで、CAP用６ビットで制御チャンネルの時間をスケジューリングする。制御チャンネルで、９ビットでダウンリンク伝送チャンネル総時間をスケジューリングし、７ビットでダウンリンク伝送チャンネル２の時間をスケジューリングし、９ビットでアップリンク伝送チャンネルの時間をスケジューリングし、２ビットでダウンリンク探査チャンネルの位置をスケジューリングする。
【０２２３】
実施例８
図１２は本発明実施例８に関わる物理フレームの構造模式図である。
【０２２４】
本実施例８はアップリンクサブフレームにいくつかの補佐チャンネルを配置していい。例えば：アップリンクサブフレームにアップリンク探査チャンネル、アップリンクスケジューリングリクエストチャンネルとアップリンクランダムアクセスチャンネルに記載する１つのまたは複数を配置していい。図１２は３種の補佐チャンネルに含むフレーム構造の事例を示す。実際はシステム実施例または方案によって、考慮しない補佐チャンネルも可能。
【０２２５】
好ましくは、CAPはシステム情報チャンネルで現在の物理フレーム構造を示す情報を送信していい。例えば、システム情報チャンネルにおいて、６ビットで制御チャンネル時間をスケジューリングする。９ビットでダウンリンク伝送チャンネル時間をスケジューリングする。９ビットでアップリンク伝送チャンネル時間をスケジューリングする。２ビットでアップリンク探査チャンネルの存在性及び時間をスケジューリングする。それぞれ０、１、２、４個OFDMシンボルをスケジューリングする。２ビットでアップリンクスケジューリングリクエストチャンネルの存在性及び時間をスケジューリングし、それぞれ１、２、３、４個OFDMシンボルをスケジューリングする。１ビットでアップリンクランダムアクセスチャンネルの存在性をスケジューリングし、それぞれ２つの場合の有無をスケジューリングする。有りの場合、１のOFDMシンボルと固定する。
【０２２６】
好ましくは、CAPはシステム情報チャンネルと制御チャンネルで現在の物理フレーム構造を示す情報を送信していい。例えば：
システム情報チャンネルにおいて、６ビットで制御チャンネルの時間をスケジューリングし、１ビットでアップリンクランダムアクセスチャンネルの存在性をスケジューリングする。制御チャンネルにおいて、９ビットでダウンリンク伝送チャンネルの時間をスケジューリングし、９ビットでアップリンク伝送チャンネルの時間をスケジューリングし、２ビットでアップリンク探査チャンネルの存在性及び時間をスケジューリングする。２でアップリンクスケジューリングリクエストチャンネルの存在性及び時間をスケジューリングする。
【０２２７】
実施例９
図１３は本発明実施例９に関わる物理フレームの構造模式図である。
【０２２８】
ダウンリンクサブフレームにダウンリンク探査チャンネルを配置しており、アップリンクサブフレームにもアップリンク探査チャンネル、アップリンクスケジューリングリクエストチャンネルとアップリンクランダムアクセスチャンネルを配置している。しかし、実際は、システム実施例または方案によって、考慮しない某補佐チャンネルもある。
【０２２９】
好ましくは、アップリンク保護間隔は送信早期保留を通じて、即ち：アップリンクの送信時間を早期にし、CAPとSTAのためにアップリンク〜ダウンリンクの転換の保護間隔を配置する。詳しくは図１４に示すように、CAPはSTAのネット接続段階で制御チャンネルで送信されるリソースは早期定時通知の時間を示す。STAは以降のアップリンク送信操作において、いずれもこの早期定時の時間に基づいて早期送信を行う。早期にアップリンク保護間隔を保留する場合、ダウンリンク〜アップリンクの転換のダウンリンク保護間隔をスケジューリングすることができる。好ましくは、CAPとSTAまたはSTAと該当CAPの最大ダウンリンク〜アップリンク送受信とアップリンク〜ダウンリンク送受信の保護時間の和を上回ってはならない。
【０２３０】
実施例１０
図１５は本発明実施例１０に関わる物理フレームの構造模式図である。そのうち、横座標は時間を示し、縦座標は周波数またはコードワードを示す。
【０２３１】
現在の物理フレームに、CAPは次のような送信を実行する：プリアンブルシーケンスを送信することと、システム情報チャンネルで現在の物理フレーム構造を示す情報を送信することと、制御チャンネルでスケジューリングされた伝送リソースの割り当てとスケジューリング、及び伝送リソースをスケジューリングしたチャンネルの伝送フォーマットを示す情報を送信することと、ダウンリンク伝送チャンネル１でダウンリンクトラフィックデータ、ダウンリンクシグナリングとアップリンクトラフィックフィードバックに記載する１つのまたは何個をスケジューリングすることと、ダウンリンク探査チャンネルでダウンリンク探査信号を送信することと、ダウンリンク伝送チャンネル２はダウンリンクトラフィックデータ、ダウンリンクシグナリングとアップリンクトラフィックフィードバックに記載する１つのまたは何個を送信する。
【０２３２】
STAは現在の物理フレームの構造を確定することにより、現在の物理フレームは次のような送信を実行する：
アップリンク探査チャンネルでアップリンク探査信号を送信する。  
アップリンクスケジューリングリクエストチャンネルでアップリンクスケジューリングリクエストを発する。  
アップリンク伝送チャンネルでアップリンクトラフィック、及び/またはアップリンクシグナリング、及び/またはアップリンクフィードバックを送信する。  
アップリンクランダムアクセスチャンネルでランダムアクセスを発する。  
好ましくはアップリンク保護間隔とダウンリンク保護間隔いずれも実施例２と似た方式に従いスケジューリングしていい。
【０２３３】
以上の具体実施例において、物理フレームにアップリンク伝送チャンネル、アップリンクスケジューリングリクエストチャンネルとアップリンクランダムアクセスチャンネルがある時、アップリンク伝送チャンネル、アップリンクスケジューリングリクエストチャンネルとアップリンクランダムアクセスチャンネルは時間分割多重、周波分割多重、コード分割多重アクセスのいずれかまたは組合方式でリソースを分割多重する。実施例１０に関わる物理フレーム構造を例に、図３０は分割多重の１例を示す。こうした分割多重方式は予め配置が可能で且つCAPとSTAとも分かっている。この時、物理フレームにこの分割多重方式のスケジューリングが不要となり、または制御チャンネルでスケジューリングしていい。例えば４ビットでアップリンクスケジューリングリクエストチャンネルがアップリンク伝送チャンネルで占用するサブキャリア個数をスケジューリングし、最大で１６個サブキャリアが可能で、アップリンク伝送チャンネル上部のヘリに位する。４ビットでアップリンクランダムアクセスチャンネルで行伝送チャンネルが占用するサブキャリア個数をスケジューリングし、最大で１６個サブキャリアが可能で、アップリンク伝送チャンネル下部のへりに位する。
【０２３４】
さらに、物理フレームに制御チャンネルとシステム情報チャンネルがある時、制御チャンネルとシステム情報チャンネルは時間分割多重、周波分割多重、コード分割多重アクセスのいずれかまたは組合方式にてリソースを分割多重することができる。実施例１０に関わる物理フレーム構造を例に、図３１はこうした分割多重の１例で、システム情報チャンネルと制御チャンネルで周波分割と時間分割という混合分割多重を採用する。こうした分割多重方式は予め配置が可能で且つCAPとSTAとも分かっている。そこで物理フレームにこの分割多重方式のスケジューリングが不要となる。制御チャンネルとシステム情報チャンネルもただ周波分割のみでリソースを分割多重してもよい。
【０２３５】
また、同一のチャンネルに、各STAへ割り当てるリソースの間も時間分割、周波分割、コード分割及び空間分割の１種または多種組合の分割多重方式で伝送リソースを共有することができる。
【０２３６】
実施例１１
現在の物理フレーム構造を示す情報の詳細を次にあげる。第１チャンネルの存在性を示す情報。第１チャンネルの存在性を示す情報、物理フレームの少なくとも１つのチャンネルの中に携帯する。
【０２３７】
好ましくは、第１チャンネルはダウンリンク探査チャンネルである。
【０２３８】
これを基に、現在の物理フレーム構造を示す情報に次のようなことを含む：第２チャンネルの時間を示す情報。第２チャンネルの時間を示す情報、物理フレームの少なくとも１つのチャンネルの中に携帯する。第２チャンネルはダウンリンク伝送チャンネルまたはアップリンク伝送チャンネルであっていい。
【０２３９】
この好ましい実施の形態において、アップリンク伝送の要求がある場合、先にダウンリンクチャンネル探査をしてから、アップリンクダウンリンク相互性に基づいて、アップリンクチャンネル測定結果を得る。ダウンリンク伝送の要求がある場合、先にダウンリンクチャンネル探査をして、直接にダウンリンクチャンネル測定結果を得る。
【０２４０】
別の好ましい実施の形態において、第１チャンネルはアップリンクランダムアクセスチャンネルである。
【０２４１】
実施例１２
現在の物理フレーム構造を示す情報の詳細を次にあげる。第１チャンネルの存在性を示す情報。第１チャンネルの存在性を示す情報、物理フレームの少なくとも１つのチャンネルの中に携帯する。
【０２４２】
好ましくは、第１チャンネルはダウンリンク探査チャンネルである。
【０２４３】
これを基に、現在の物理フレーム構造を示す情報に次のようなことを含む：第２チャンネルの時間を示す情報。第２チャンネルの時間を示す情報、物理フレームの少なくとも１つのチャンネルの中に携帯する。第２チャンネルはダウンリンク伝送チャンネルまたはアップリンク伝送チャンネルであっていい。
【０２４４】
この好ましい実施の形態において、アップリンク伝送の要求がある場合、先にダウンリンクチャンネル探査をしてから、アップリンクダウンリンク相互性に基づいて、アップリンクチャンネル測定結果を得る。ダウンリンク伝送の要求がある場合、先にダウンリンクチャンネル探査をして、直接にダウンリンクチャンネル測定結果を得る。
【０２４５】
別の好ましい実施の形態において、第１チャンネルはアップリンクランダムアクセスチャンネルである。
【０２４６】
実施例１３
現在の物理フレーム構造を示す情報の詳細を次にあげる。スケジューリング第１チャンネルの時間情報、該当時間大于または等于零。スケジューリング第１チャンネルの時間情報、物理フレームの少なくとも１つのチャンネルの中に携帯する。
【０２４７】
第１種の好ましい実施の形態において、第１チャンネルはスケジューリングされた伝送リソースの割り当てとスケジューリング、及び伝送リソースをスケジューリングしたチャンネルの伝送フォーマットの制御チャンネルで。
【０２４８】
第２種の好ましい実施の形態において、第１チャンネルはダウンリンク伝送チャンネル。
【０２４９】
これを基に、現在の物理フレーム構造を示す情報に次のようなことを含む：第２チャンネルの存在性及び時間を示す情報。第２チャンネルの存在性及び時間を示す情報、物理フレームの少なくとも１つのチャンネルの中に携帯する。第２チャンネルはアップリンク探査信号の伝送に用いられるアップリンク探査チャンネル。
【０２５０】
この好ましい実施の形態において、ダウンリンク伝送の要求がある場合、先にアップリンクチャンネル測定を行い、アップリンクダウンリンク互換性に基づいてダウンリンクチャンネル測定結果を得る。
【０２５１】
第３種の好ましい実施の形態において、第１チャンネルはダウンリンク伝送チャンネルである。これを基に、現在の物理フレーム構造を示す情報に次のようなことを含む：第２チャンネルの存在性を示す情報。第２チャンネルの存在性を示す情報、物理フレームの少なくとも１つのチャンネルの中に携帯する。第２チャンネルはダウンリンク探査信号の伝送に用いられるダウンリンク探査チャンネルとする。
【０２５２】
この好ましい実施の形態において、ダウンリンク伝送の要求がある場合、先にダウンリンクチャンネル測定を行い、ダウンリンクチャンネル測定結果を得る。
【０２５３】
第４種の好ましい実施の形態において、第１チャンネルはアップリンク伝送チャンネル。
【０２５４】
これを基に、現在の物理フレーム構造を示す情報に次のようなことを含む：第２チャンネルの存在性及び時間を示す情報。第２チャンネルの存在性及び時間を示す情報、物理フレームの少なくとも１つのチャンネルの中に携帯する。第２チャンネルはアップリンク探査信号の伝送に用いられるアップリンク探査チャンネル。
【０２５５】
この好ましい実施の形態において、アップリンク伝送の要求がある場合、先にアップリンクチャンネル測定を行い、アップリンクチャンネル測定結果を得る。
【０２５６】
第５種の好ましい実施の形態において、第１チャンネルはアップリンク伝送チャンネル。これを基に、現在の物理フレーム構造を示す情報に次のようなことを含む：第２チャンネルの存在性を示す情報。第２チャンネルの存在性を示す情報、物理フレームの少なくとも１つのチャンネルの中に携帯する。第２チャンネルはダウンリンク探査信号の伝送に用いられるダウンリンク探査チャンネル。
【０２５７】
この好ましい実施の形態において、アップリンク伝送の要求がある場合、先にダウンリンクチャンネル測定を行い、アップリンクダウンリンク互換性に基づいてアップリンクチャンネル測定結果を得る。
【０２５８】
以下に、本発明のリソーススケジューリング方法を提供し、リソーススケジューリングされる実現後、スケジューリングベースの伝送リソースで物理フレームの構造を確定することができるようになる。
【０２５９】
図18は本発明実施例に関わるリソーススケジューリングされる方法を示すフローチャートであるで、この流れの詳細を次に掲げる：
ステップS11：伝送要件に基づいて、リソーススケジューリングを実施する。  
ステップS12：スケジューリングされるリソースに整合するフレームのサイズ非固定の物理フレーム構造を設定する。
【０２６０】
本発明の方法を用いて、競争コンフリクトまたはランダム退避によって起こす無線リソースの無駄な利用がなくなる。従来の移動通信システム（含む：LTE、WiMax等次世代移動通信システム）と異なるのは、このシステムが業務要件に基づいて、動的にアップ・ダウンリンク無線リソースを区分し、動的に将来の種類が豊富かつ特徴が異なるデータ業務要件に対応できる。
【０２６１】
以下に、「いかに、伝送の需要に応じて、リソーススケジューリングを実施し、物理フレーム構造を設定するか」を詳しく説明する。
【０２６２】
実施例１４
伝送の要求がある場合、伝送の要求に応じる伝送リソースをスケジューリング、スケジューリングされた伝送リソースと整合できる構造を配置する。本発明に関わる伝送の要求はスケジューリング情報に基づいて担持され、CAPがスケジューリング情報を解析することで、伝送の要求を得て、リソースのスケジューリングを完成する。
【０２６３】
その中、アップリンク伝送の要求はCAPがSTAから得たものである。具体的には、CAPは次のような３つの方法を講じてアップリンク伝送の要求を得る：
第１：リクエスト-応答方法を講じてアップリンク伝送の要求を得る。具体的には、STAはスケジューリングリクエストを送信する。CAPはSTAにアップリンクをフィードバックする伝送の要求のリソースを配分し、STAが相応なリソースでアップリンク伝送の要求をフィードバックする。
【０２６４】
第１方法を講じると、フレーム構造にアップリンクのスケジューリングリクエストチャンネルを配置することが必要である。それは、STAからCAPにアップリンクスケジューリングリクエストを送信するに用いられることで、CAPにアップリンク伝送の要求を送信するリソースをリクエストするに用いられる。
【０２６５】
フレーム構造に、アップリンクのスケジューリングリクエストのチャンネルを配置するとき、STAのために、独占的なアップリンク伝送リソースのスケジューリングが行なえ、STAが非競合によりアップリンクのスケジューリングの送信に用いられる。STA向け、共有可能なアップリンク伝送リソースをスケジューリングすることができる。STAが競合によりアップリンクのスケジューリングリクエストの送信に用いられる。つまり、STAはスケジューリングリクエストを送信し、競合衝突無きアップリンク伝送リクエストシステム、または競合ベースのアップリンク伝送リクエストシステムを用いられることができる。
【０２６６】
アップリンクスケジューリングリクエストチャンネルの配置に際し、CAPに関連するSTAの数を基に、アップリンクスケジューリングリクエストチャンネルの時間を配置する。例えば、CAPに関連するNSTA向け、それぞれN個のアップリンクスケジューリングリクエストチャンネルを配分することができる。各STAでは、相応なチャンネルで競合衝突無きのアップリンク伝送リクエストシステムに基づいてアップリンクスケジューリングリクエストを送信することができる。CAPに関連するNSTA向け、またはMアップリンクスケジューリングリクエストチャンネル向け、配分することができる。MはNより小さく、N個のSTAは、M個のアップリンクスケジューリングチャンネルを競合し、アップリンクスケジューリングリクエストを送信する。
【０２６７】
また、アップリンクスケジューリングリクエストチャンネルを設計することにより、開閉量情報のフィードバックに用いて、快速フィードバックが行える。
【０２６８】
第２：ポーリングを講じ、アップリンク伝送の要求を得る。具体的には、CAPは、周期的なポーリングを各STAへ対し行うことで、STAからフィードバックのアップリンク伝送の要求を受信する。
【０２６９】
第３：携帯報告方法を講じ、アップリンク伝送の要求を得る。具体的には、STAはアップリンクトラフィックを伝送する場合に、アップリンク伝送の要求をデータフレームの中に担持させ、アップリンクトラフィックに従ってCAPに送信する。
【０２７０】
その中、ダウンリンク伝送の要求はCAPのMAC層または高層から得られる。
【０２７１】
伝送の要求は伝送方向によって、アップリンク伝送の要求とダウンリンク伝送の要求に分けられる。アップリンク伝送の要求がある場合、アップリンク伝送の要求に応じ、アップリンクリソースをスケジューリングすることにより、スケジューリングされたアップリンクのリソースと整合できるアップリンクを配置する。ダウンリンク伝送の要求がある場合、ダウンリンク伝送の要求に応じ、ダウンリンクリソースをスケジューリングて、スケジューリングされたダウンリンクリソースと整合できるダウンリンク伝送チャンネルを配置することができる。
【０２７２】
伝送の要求は、伝送データのタイプによって、トラフィックデータの伝送の要求、チャンネル伝送の要求。および要求のフィードバックに分けられる。
【０２７３】
これに基づいて、アップリンク伝送の要求に応じ、アップリンク伝送リソースをスケジューリングし、前者と整合できるアップリンク伝送チャンネルには、次のようなケースがある。
【０２７４】
アップリンクトラフィック伝送の要求がある場合、アップリンクトラフィックにおけるアップリンク伝送リソースのスケジューリングを可能にするため、フレーム構造にアップリンクトラフィック伝送チャンネルを配置する。アップリンクトラフィックチャンネルの時間は、CAPに関連する各STAのアップリンクトラフィックの伝送に要する総伝送リソースによって確定する。
【０２７５】
アップリンクシグナリングを伝送する要求がある場合、アップリンクシグナリング向けアップリンク伝送リソースをスケジューリングし、フレーム構造にアップリンクシグナリングチャンネルを配置する。アップリンクシグナリングチャンネルの時間は、CAPに関連する各STAのアップリンクシグナリングの伝送に要する総伝送リソースによって確定する。
【０２７６】
ダウンリンクトラフィックをフィードバックする要求がある場合、ダウンリンクトラフィックのために、ダウンリンク伝送リソースのスケジューリングをフィードバックし、この配置に基づいてダウンリンクトラフィックフィードバックチャンネルを配置する。ダウンリンクトラフィックフィードバックチャンネルの時間は、CAPから、関連する各STAへダウンリンクトラフィックのフィードバックに要する総伝送リソースによって確定する。
【０２７７】
その他のアップリンク伝送の要求がある場合、アップリンク伝送チャンネルで相応なシグナリングを増やす。本発明では重複しない。
【０２７８】
これに基づいて、ダウンリンク伝送の要求に応じ、ダウンリンク伝送リソースをスケジューリング、前者と整合できるダウンリンク伝送チャンネルには、次のようなケースがある：
ダウンリンクトラフィックの伝送の要求がある場合、ダウンリンクトラフィックのためにダウンリンク伝送リソースをスケジューリング、フレーム構造にダウンリンクトラフィック伝送チャンネルを配置する。ダウンリンクトラフィック伝送チャンネルの時間はCAPに関連する各STAへ、ダウンリンクトラフィックの伝送に要する総伝送リソースによって確定する。
【０２７９】
ダウンリンクシグナリングの伝送の要求がある場合、ダウンリンクシグナリング向け、ダウンリンク伝送リソースをスケジューリング、フレーム構造にダウンリンクシグナリングチャンネルを配置する。ダウンリンクシグナリングチャンネルの時間はCAPに関連する各STA伝送へ、ダウンリンクシグナリングに要する総伝送リソースによって決定する。
【０２８０】
アップリンクトラフィックに対してフィードバックする要求がある場合、アップリンクトラフィックにダウンリンクリソースのスケジューリングをフィードバックし、アップリンクトラフィックフィードバックチャンネルを配置する。アップリンクトラフィックチャンネルの時間はCAPから関連する各STAへアップリンクトラフィックのフィードバックに要する総伝送リソースによって決定する。
【０２８１】
別のダウンリンク伝送の要求がある場合、ダウンリンク伝送チャンネルで相応なシグナリングを増やす。本発明では重複しない。
【０２８２】
好ましくは、伝送リソースをスケジューリングする時、チャンネルの状況を考慮しなければならず、リソースのスケジューリングを更に合理的なものにする。チャンネル品質情報CQIによってリソースを配分することができる。または、CQIとチャンネル状態情報CSIによって、リソースの配分も行える。その中、CSIは伝送チャンネルのHマトリックス（N×M階層、N個の受信アンテナ、M個の送信アンテナ）であるか、または伝送チャンネルのHマトリックスはSVD分解後のVマトリックス（M×K階層）であるか、またはこのVマトリックスの圧縮情報である。CQIは、下記の情報の中のいずれか１種または数種を含む。伝送チャンネルSNRまたはSINR、MCS（ダウンリンク伝送の場合に適用可能な変調コード集合）、NSS（ダウンリンク伝送の場合に適用可能な空間ストリームの数）、PMI（ダウンリンク伝送の場合に適応可能なプリコーティングマトリックスの集合）その他の関係測定尺度。
【０２８３】
STAの能力はCAPがCQIを得られる時、CAPはCQIを得て、伝送の要求とCQIに基づいてリソースをスケジューリングする。STAの能力は、CAPがCQIとCSIを得られる時、CAPはCQIとCSIを得て、伝送の要求、CQI、CSIに基づいて、リソースをスケジューリングする。
【０２８４】
その中、CQIは全周波帯の測定で得られるCQIであるか、一部の周波帯の測定で得られるCQIである。CSIは全周波帯の測定で得られるCSIであるか、一部の周波帯の測定で得られるCSIである。
【０２８５】
以下に、それぞれアップリンクチャンネル状況とダウンリンクチャンネル状況の取得に分けて、本発明のリソースのスケジューリングとフレーム構造の配置を説明する：
アップリンク伝送リソースのスケジューリングに際し、アップリンクCQIによってリソースをスケジューリングする。アップリンクのCQIを得るため、次のような設計案を講じることができる：
方法１：アップリンク探査チャンネルを基に推計する。つまり、アップリンクの伝送リソースをスケジューリングする要求がある場合、例えば、アップリンクトラフィックを伝送する要求、アップリンクシグナリングを伝送する要求またはダウンリンクトラフィックをフィードバックする要求がある場合、アップリンクのCQIを得るようにリソースのスケジューリングを行わなければならず、フレーム構造にアップリンク探査チャンネルを配置する。STAからCAPへアップリンク探査信号の送信に用いられる。CAPがアップリンクの伝送リソースをスケジューリングする時、アップリンク探査チャンネル経由でアップリンク探査信号を測定して、アップリンクのチャンネル品質情報CQIを算出して、算出されたアップリンクCQIを基にリソースをスケジューリングする。
【０２８６】
方法２：TDDシステムのアップリンクダウンリンク互換性をスケジューリングして、STAが見積もり、ダウンリンクCQIをフィードバックする。CAPはシステムの互換性に基づいて、アップリンクのCQIを得る。つまり、アップリンク伝送の要求がある場合、アップリンクのCQIを得るようにリソースのスケジューリングを行わなければならず、フレーム構造にダウンリンク探査チャンネルとCQIフィードバックチャンネルを配置し、ダウンリンク探査チャンネルは、CAPからSTAへ探査信号の送信に用いられる。CQIフィードバックチャンネルはSTAからCAPへダウンリンク探査信号に基づいて算出されたダウンリンクCQIのフィードバックに用いられる。CAPはアップリンク伝送の要求に応じ、アップリンク伝送リソースのスケジューリングに際し、アップリンクダウンリンク互換性に基づいて、STAからフィードバックされたダウンリンクCQIによってアップリンクのCQIを取得して、アップリンクのCQIに基づいて、アップリンク伝送リソースをスケジューリングする。
【０２８７】
アップリンク伝送リソースをスケジューリングする時、アップリンクCQIによってリソースをスケジューリングする。アップリンクのCQI及びアップリンクのCSIを得るため、次のような設計案を講じることができる。
【０２８８】
方法１：アップリンク探査チャンネルを基に推計する。つまり、アップリンクの伝送リソースをスケジューリングする要求がある場合、例えば、アップリンクトラフィックを伝送する要求、アップリンクシグナリングを伝送する要求またはダウンリンクトラフィックをフィードバックする要求がある場合、アップリンクのCQI及びアップリンクのCSIを得るようにリソースのスケジューリングを行う必要があるので、STAからCAPへアップリンク探査信号を送信するためのアップリンク探査チャンネルを前記フレーム構造に配置する。アップリンクの伝送リソースをスケジューリングする時、前記アップリンク探査チャンネルでアップリンク探査信号を測定することにより、アップリンクのチャンネル品質情報CQI及びCSIを算出して、算出されたアップリンクのCQI及びアップリンクのCSIに合わせてリソースをスケジューリングする。
【０２８９】
方法２：TDDシステムのアップリンクダウンリンク互換性を利用して、STAがダウンリンクのCQI及びダウンリンクのCSIを推計してフィードバックする。CAPはシステムの互換性に基づいて、対応するアップリンクのCQI及びアップリンクのCSIを得る。つまり、アップリンク伝送の要求がある場合、アップリンクのCQI及びアップリンクのCSIを得るようにリソースのスケジューリングを行わる必要があるので、CAPからSTAへダウンリンク探査信号を送信するためのダウンリンク探査チャンネルと、STAからCAPへダウンリンク探査信号に基づいて推計されたダウンリンクのCQIをフィードバックするためのCQIフィードバックチャンネルと、STAからCAPへダウンリンク探査信号に基づいて推計されたダウンリンクのCSIをフィードバックするためのCSIフィードバックチャンネルとをフレーム構造に配置する。アップリンク伝送の要求に応じてアップリンク伝送リソースをスケジューリングする時、アップダウンリンク互換性に基づいて、STAからフィードバックされたダウンリンクのCQIによってアップリンクのCQIを確定し、STAからフィードバックされたダウンリンクのCSIによってアップリンクのCSIを確定し、アップリンクのCQI及びアップリンクのCSIに合わせてアップリンク伝送リソースをスケジューリングする。
【０２９０】
方法３：直接測定方法を講じてCQIを得て、システム互換性をスケジューリングしてCSIを得る。または直接測定方法を講じてCSIを得て、システム互換性をスケジューリングしてCQIを得る。
【０２９１】
つまり、アップリンク伝送の要求がある場合、アップリンクCQIとアップリンクCSIを得るようにリソースのスケジューリングを行わなければならず、フレーム構造にアップリンク探査チャンネル、ダウンリンク探査チャンネルとCQIフィードバックチャンネルを配置する。アップリンク探査チャンネルがサイトSTAからセンターアクセスポイントCAPへアップリンク探査信号の送信に用いられる。ダウンリンク探査チャンネルがCAPからSTAへ探査信号の送信に用いられる。CQIフィードバックチャンネルはSTAからCAPへ探査信号の測定したアップリンクダウンリンクCQIをダウンリンクによってフィードバックすること。アップリンク伝送の要求に応じ、アップリンク伝送リソースのスケジューリングに際し、アップリンク探査チャンネルにてアップリンク探査信号を測定し、アップリンクのチャンネル品質情報CSI、およびアップリンクダウンリンク互換性に基づいてSTAからフィードバックされたダウンリンクCQIによってアップリンクのCQIを取得する上、アップリンクのCQIとアップリンクCSIを基にアップリンク伝送リソースをスケジューリングする。
【０２９２】
或いは、アップリンク伝送の要求がある場合、アップリンクのCQIとアップリンクのCSIを得るようにリソースのスケジューリングを行う必要があるので、サイトSTAからセンターアクセスポイントCAPへアップリンク探査信号を送信するためのアップリンク探査チャンネルと、CAPからSTAへダウンリンク探査信号を送信するためのダウンリンク探査チャンネルと、STAからCAPへダウンリンク探査信号によって推計されたダウンリンクのCSIをフィードバックするためのCSIフィードバックチャンネルとをフレーム構造に配置する。CAPはアップリンク伝送の要求に応じてアップリンク伝送リソースをスケジューリングする時、前記アップリンク探査チャンネルてアップリンク探査信号を測定し、アップリンクのチャンネル品質情報CQIを算出し、アップリンクダウンリンク互換性に基づいて、STAからフィードバックされたダウンリンクのCSIによって、アップリンクのCQIとアップリンクのCSIに合わせてアップリンク伝送リソースをスケジューリングする。
【０２９３】
ダウンリンク伝送リソースのスケジューリングに際し、ダウンリンクCQIによってリソースをスケジューリングする。ダウンリンクCQIを得るため、次のような設計案を講じることができる：
方法１：TDDシステムのアップリンクダウンリンク互換性をスケジューリングできる。CAPがダウンリンクCQIを見積もる。具体的にはダウンリンク伝送リソースをスケジューリングする要求がある場合、例えば、ダウンリンクトラフィックの伝送の要求、ダウンリンクシグナリングの伝送の要求、またはアップリンクトラフィックに対してフィードバックする要求がある場合、ダウンリンクCQIを得るようにリソースのスケジューリングを行わなければならず、フレーム構造にアップリンク探査チャンネルを配置する。STAからCAPへアップリンク探査信号の送信に用いられる。CAPがダウンリンク伝送リソースをスケジューリングする時、アップリンク探査チャンネル経由でアップリンク探査信号を測定し、アップリンクのCQIを算出する上、TDDシステムのアップリンクダウンリンク互換性に基づいて、ダウンリンクCQIを取得し、ダウンリンクCQIリソースをスケジューリングする。
【０２９４】
方法２：STAがダウンリンクCQIを測定することができる。フィードバック方法を講じてCAPに測定結果を報告することにより、CAPにダウンリンクCQIを取得させる。具体的には、ダウンリンク伝送リソースをスケジューリングする要求がある場合、例えば、ダウンリンクトラフィックの伝送の要求、ダウンリンクシグナリングの伝送の要求またはアップリンクトラフィックに対してフィードバックする要求がある場合、ダウンリンクCQIを得るようにリソースのスケジューリングを行わなければならず、フレーム構造にダウンリンク探査チャンネルとCQIフィードバックチャンネルを配置し、ダウンリンク探査チャンネルはCAPからSTAへ探査信号の送信に用いられる。CQIフィードバックチャンネルはSTAからCAPへダウンリンク探査信号に基づいて算出されたダウンリンクCQIのフィードバックに用いられる。ダウンリンク伝送リソースをスケジューリングする時、STAからフィードバックされたダウンリンクCQIによってリソースをスケジューリングする。
【０２９５】
その中、アップリンク探査チャンネルの時間は、報告されたアップリンク探査信号STAのアンテナ総数によって確定する。
【０２９６】
アップリンク伝送リソースをスケジューリングする時、アップリンクのCQI及びCSIによってリソースをスケジューリングする。アップリンクのCQI及びCSIを得るため、次のような設計案を講じることができる。
【０２９７】
方法１：TDDシステムのアップリンクダウンリンク互換性を利用して、CAPがダウンリンクのCQI及びCSIを推計する。具体的には、アップリンクの伝送リソースをスケジューリングする要求がある場合、例えば、アップリンクトラフィックを伝送する要求、アップリンクシグナリングを伝送する要求またはアップリンクトラフィックをフィードバックする要求がある場合、ダウンリンクのCQI及びダウンリンクのCSIを得るようにリソースのスケジューリングを行う必要があるので、STAからCAPへアップリンク探査信号を送信するためのアップリンク探査チャンネルを前記フレーム構造に配置する。ダウンリンクの伝送リソースをスケジューリングする時、前記アップリンク探査チャンネルでアップリンク探査信号を測定することにより、アップリンクのCQI及びアップリンクのCSIを算出し、TDDシステムのアップリンクダウンリンク互換性に基づいてダウンリンクのCQI及びダウンリンクのCSIを確定し、ダウンリンクのCQI及びダウンリンクのCSIに合わせてリソースをスケジューリングする。
【０２９８】
方法２：STAがダウンリンクのCQI及びダウンリンクのCSIを測定し、フィードバックによってCAPへ測定結果を報告することにより、CAPはダウンリンクのCQI及びダウンリンクのCSIを取得する。具体的には、ダウンリンクの伝送リソースをスケジューリングする要求がある場合、例えば、ダウンリンクトラフィックを伝送する要求、ダウンリンクシグナリングを伝送する要求またはアップリンクトラフィックをフィードバックする要求がある場合、ダウンリンクのCQI及びダウンリンクのCSIを得るようにリソースのスケジューリングを行う必要があるので、CAPからSTAへダウンリンク探査信号を送信するためのダウンリンク探査チャンネルと、STAからCAPへダウンリンク探査信号に基づいて推計されたダウンリンクのCQIをフィードバックするためのCQIフィードバックチャンネルと、STAからCAPへダウンリンク探査信号に基づいて推計されたダウンリンクのCSIをフィードバックするためのCSIフィードバックチャンネルとをフレーム構造に配置する。ダウンリンクの伝送リソースをスケジューリングする時、STAによってフィードバックされたダウンリンクのCQI及びダウンリンクのCSIに基づいてリソースをスケジューリングする。
【０２９９】
好ましくは、STAフィードバックCQIを受信した後、リソースの配分方法を講じてSTAの対応するチャンネルの品質を算出できる。例えば、リソースの配分方法は時間分割、周波数分割の場合、直接にSTAからフィードバックされたダウンリンクCQIとCSIを用いてリソースのスケジューリングが行える。リソースの配分方法は空間分割の場合、各STAからフィードバックされたCSIによって各STAの対応する空間分割の伝送妨害を算出し、各STAからフィードバックのCQIを使う時、対応する空間分割の妨害を排除しなければならない。また、その他の調整要素によって各STAからフィードバックのCQIの処理が行える。リソーススケジューリングCQIが得られる。
【０３００】
方法３：CQIのデータ量が小さく、CSIのデータ量が大きいことを鑑みて、STAが行ダウンリンクうチャンネルの見積もり精度は、CAPがTDDシステム互換性に基づくチャンネルの見積もり精度より高いという特徴に基づいて、CAPがTDDシステムアップリンクダウンリンク互換性を活かしてダウンリンクCSIを見積もり、通信容量を節約することになる。STAがダウンリンクCQIを測定し、フィードバック方法を講じてCAPに測定結果を報告することで、CAPに正しいCQIを取得させる。具体的には、ダウンリンク伝送リソースをスケジューリングする要求がある場合、例えば、ダウンリンクトラフィックの伝送の要求、ダウンリンクシグナリングの伝送の要求、またはアップリンクトラフィックに対してフィードバックする要求がある場合、ダウンリンクCQIとダウンリンクCSIを得るようにリソースのスケジューリングを行わなければならず、フレーム構造にアップリンク探査チャンネル、ダウンリンク探査チャンネルとCQIフィードバックチャンネルを配置する。アップリンク探査チャンネルはSTAからCAPへアップリンク探査信号の送信に用いられる。ダウンリンク探査チャンネルはCAPからSTAへ探査信号の送信に用いられる。CQIフィードバックチャンネルはSTAからCAPへダウンリンク探査信号を基に測定したダウンリンクCQIのフィードバックに用いられる。ダウンリンク伝送リソースをスケジューリングする時、ダウンリンクトラフィックの伝送の要求、ダウンリンクシグナリングの伝送の要求とアップリンクトラフィックへのフィードバック要求の中のいずれか１種または多種をスケジューリングしてリソースをスケジューリングする時、アップリンク探査チャンネル、アップリンク探査信号を測定して、アップリンクのCSIを算出して、システムのアップリンクダウンリンク互換性に基づいて、ダウンリンクCSIを取得して、ダウンリンクCSIとSTAからフィードバックされたダウンリンクCQIによってリソースをスケジューリングする。
【０３０１】
好ましくは、STAからフィードバックのCQIを受信した後、リソースの配分方法を講じてSTAの対応するチャンネルの品質の算出も行える。例えば、リソースの割り当て方法は時間分割、周波数分割の場合、直接にSTAからフィードバックされたダウンリンクCQIとCSIを用いてリソースのスケジューリングが行える。リソースの割り当て方法は空間分割の場合、各STAからフィードバックされたCSIによって各STAの対応する空間分割の伝送妨害を算出し、各STAからフィードバックのCQIを使う時、対応する空間分割の妨害を排除しなければならない。また、その他の調整要素によって各STAからフィードバックのCQIの処理が行える。リソースのスケジューリング用CQIが得られる。
【０３０２】
好ましくは、その他のSTAのCAPへのアクセスが許容された場合、STAのCAPへのアクセスのためにリソースをスケジューリングすることができる。フレーム構造にランダムアクセスチャンネルを配置し、STAのCAPアクセスに用いて、CAPと関係を結ぶ。ランダムアクセスチャンネルの時間は、予想の同時アクセスSTAの最大数によって決定する。現在フレームは、その他のSTAのCAPへのアクセスが許容されない場合、現在配置をランダムにチャンネルにアクセスすることができない。
【０３０３】
その中、２つの方法にてSTAを採用し、アップリンク探査チャンネルでアップリンク探査信号の送信に用いられることができる：CAPが触発して、STAの探査信号を送信させるようスケジューリングする。またはCAPが一回スケジューリングた後、短時間にSTAがアップリンク探査チャンネルで周期的に探査信号を送信する。
【０３０４】
その中、CQIフィードバックチャンネル及び/またはCSIフィードバックチャンネルを配置する時、アップリンク伝送チャンネルでCQIフィードバックチャンネル及び/またはCSIフィードバックチャンネルを配置することができる。間もなくCQIフィードバックチャンネル/またはCSIフィードバックチャンネルをアップリンク伝送チャンネルの一部としてもよい。また、CQIフィードバックチャンネル及び/またはCSIフィードバックチャンネルをアップリンク伝送チャンネルとは別のチャンネルとしてもよい。
【０３０５】
好ましくは、フレーム構造に制御チャンネルの配置が可能になる。アップリンク伝送チャンネル、ダウンリンク探査チャンネル、アップリンク探査チャンネル、ダウンリンク探査チャンネル、CQIフィードバックチャンネル、CSIフィードバックチャンネル、アップリンクスケジューリングリクエストチャンネル、ランダムアクセスチャンネルの中のいずれか一つまたは複数のチャンネルの情報を担持するに用いられる。それによって、CAP関連するSTAフレーム構造におけるそれぞれチャンネルの具体的なリソースの配分状況を知らせる。
【０３０６】
その中、制御チャンネルは、スケジューリングシグナリングから構成され、記述情報がスケジューリングシグナリングに担持される。スケジューリングシグナリングはリソースのスケジューリング対象の指摘、および対象向けスケジューリングする伝送リソースの指摘に用いられる。対象は１つまたは１組のサイトSTAである。
【０３０７】
制御チャンネルの時間はCAPに関連する各STAへ、スケジューリングシグナリングの配布に要する総伝送リソースによって決定する。各々のチャンネルシグナリングのサイズの和を求めて計算することにより、制御チャンネル周期を得る。または、それぞれシグナリングのサイズが固定値であれば、シグナリングの固定長とダウンリンクスケジューリングシグナリングの個数を掛けて、制御チャンネルの周期を得る。
【０３０８】
リソースをスケジューリングする時、例えば最大キャリア比率スケジューリング算法、ポーリングスケジューリング算法、正比例公平スケジューリング算法などを講じていい。スケジューリングされたリソースのタイプは、時間分割、周波数分割、コード分割および空間分割の中の１種または多種の組合せをスケジューリングする。そのため、フレーム構造には、それぞれチャンネルは、時間分割、周波数分割、コード分割および空間分割の中のいずれか１種または多種の組合せをスケジューリングする。
【０３０９】
以下に、応用実例１〜５組を上げて、どのように要求に応じリソーススケジューリングを行うか、そのフレーム構造について詳しく説明する。
【０３１０】
応用実例１
本応用実例はシステムのアップリンクダウンリンク互換性に基づいて、アップリンク探査チャンネルにてダウンリンクチャンネル品質の状況を測定し、ダウンリンクスケジューリング及び伝送のプロセスを終え、詳細は図５に示すように、以下の手順を含む：
手順S５０１：CAPはダウンリンクスケジューリング情報を受信・解析してから、STA１とSTA２にダウンリンクトラフィックを伝送する要求を得る。
【０３１１】
ダウンリンクトラフィックを伝送する要求には、各STAまたは各STAの多様なトラフィックストリームのスケジューリング要求を含む。例えば：未スケジューリングのトラフィックと隊列のサイズ、各トラフィックのサービス品質QoS要求、トラフィックプライオリティなど。ダウンリンクトラフィックを伝送する要求は、ダウンリンクスケジューリング情報に基づいて担持される。
【０３１２】
手順S５０２：CAPはスケジューリングを必要とする２つのSTAのため、つまりSTA１とSTA２に２つのアップリンク探査チャンネルをスケジューリングする。
【０３１３】
手順S５０３：CAPはそれぞれSTA１とSTA２がアップリンク探査チャンネルで送信するアップリンク探査信号であり、TDDシステムのアップリンクダウンリンク互換性に基づいて、STA１とSTA２が対応するダウンリンク伝送チャンネルの品質を得る。
【０３１４】
手順S５０４：CAPは、ダウンリンクスケジューリング情報とダウンリンク伝送チャンネルの品質に基づいて、それぞれSTA１とSTA２が対応するダウンリンク伝送リソースをスケジューリングする。
【０３１５】
その中、STA１とSTA２は、時間分割多重方法を講じてダウンリンク伝送リソースを共有する。
【０３１６】
手順S５０５：CAPはダウンリンクスケジューリング情報とダウンリンク伝送チャンネルの品質に基づいて、STA１のためにダウンリンクトラフィックへのフィードバック用伝送リソースをスケジューリングする。
【０３１７】
STA２が第Nフレームのダウンリンク伝送が、当該フレームのアップリンク伝送からACK２をフィードバックされていない。この可能性は次の原因にある：（１）STA２は第Nフレームのダウンリンク伝送は、第N+kフィードバックにある。（２）STA２のダウンリンクトラフィックには、ACKにフィードバックする必要がない。
【０３１８】
CAPは、スケジューリングた伝送リソースの整合構造を配置し、STAは解析システム情報チャンネルを介してチャンネル構造を把握し、解析制御チャンネルを介して具体的な伝送リソースの配分状況を知る。
【０３１９】
本応用実例のリソースのスケジューリングプロセスを明らかに説明するため、図２０に示すように、２つフレームを通じてダウンリンクトラフィック伝送のリソースのスケジューリングプロセス、そして、スケジューリングされたリソースによって動的にフレーム構造をスケジューリングするプロセスを終了する。
【０３２０】
応用実例２
本応用実例は、STAからCAPにフィードバックされるチャンネル品質の測定情報を提供しており、CAPはフィードバックのチャンネル品質情報に基づいてアップリンクスケジューリング及び伝送のプロセスを終了する。具体的に図２１に示すように、以下の手順を含む：
手順S７０１：CAPはダウンリンクスケジューリング情報を受信・解析して、STA１とSTA２にダウンリンクトラフィックを伝送する要求を得る。
【０３２１】
ダウンリンクトラフィックを伝送する要求には、各STAまたは各STAの多様なトラフィックストリームのスケジューリング要求を含む。例えば：未スケジューリングのトラフィックと隊列のサイズ、各トラフィックのサービス品質QoS要求、トラフィックプライオリティなど。ダウンリンクトラフィックを伝送する要求は、ダウンリンクスケジューリング情報に基づいて担持される。
【０３２２】
手順S７０２：CAPはスケジューリングを必要とする２つのSTAのため、つまりSTA１とSTA２のために２つのCQIフィードバックチャンネルをスケジューリングする。
【０３２３】
手順S７０３：CAPがダウンリンク探査チャンネルで探査信号の送信に用いられる。
【０３２４】
手順S７０４：STA１とSTA２はそれぞれCAPのダウンリンク探査チャンネルにおける探査信号を測定して、STA１とSTA２が対応するダウンリンク探査チャンネルの品質を得る。
【０３２５】
手順S７０５：STA１とSTA２はそれぞれ対応するCQIフィードバックチャンネルを介して、算出されたダウンリンク探査チャンネルの品質をCAPにフィードバックする。
【０３２６】
手順S７０６：CAPは、ダウンリンクスケジューリング情報とダウンリンク伝送チャンネルの品質に基づいて、それぞれSTA１とSTA２のためにダウンリンク伝送リソースをスケジューリングする。
【０３２７】
手順S７０７：CAPは、ダウンリンクスケジューリング情報とダウンリンク伝送チャンネルの品質に基づいて、STA１のためにダウンリンクトラフィックへのフィードバック用伝送リソースをスケジューリングする。
【０３２８】
STA２は第Nフレームのダウンリンク伝送では、このフレームにおけるダウンリンク伝送ACK２をフィードバックせず、その理由は次のとおり：（１）STA２は第Nフレームのダウンリンク伝送で第N+kのフィードバックを伝送する。（２）STA２のダウンリンクトラフィックには、ACKシグナリングのフィードバックが不要である。
【０３２９】
CAPは伝送リソースに整合できるフレーム構造を配置し、STAは解析システム情報チャンネルを介してチャンネル構造を把握し、解析制御チャンネルを介して具体的な伝送リソースの配分状況を知る。
【０３３０】
本応用実例は、リソースのスケジューリングプロセスを明らかに説明するため、図２２に示すように、２つフレームを通じてトラフィック伝送のリソースのスケジューリングプロセス、およびスケジューリングされたリソースによって動的にフレーム構造を配置するプロセスを終了する。
【０３３１】
応用実例１では、TDDのアップリンクダウンリンクチャンネル互換性に基づいて得られるダウンリンク伝送チャンネルの品質に基づいて、アップリンク探査チャンネルを必要とする。応用実例２では、STAがダウンリンク探査チャンネルを測定してチャンネル品質をCAPにフィードバックするので、アップリンク探査チャンネルは不要になる。
【０３３２】
何らのフィードバック方法を問わず、CAPスケジューリング器はSTA能力、およびシステム配置を基に確定する。フレーム構造に配置されるチャンネルは、伝送の要求に対応できるので、好ましくは無線チャンネル時間を選択的に調整することが可能になる。
【０３３３】
応用実例３
本応用実例では、アップリンクスケジューリングと伝送のプロセスを提供している。図２３に示すように、下記の手順を含む：
手順S９０１：CAPは、第N-２フレームのアップリンクスケジューリングリクエストチャンネルでSTAから送信されたアップリンクスケジューリングリクエスト信号を受信する。
【０３３４】
手順S９０２：CAPは、第N-１フレームで、STAのためにアップリンク探査チャンネル、及びアップリンクトラフィック伝送の要求を送信するに用いられるアップリンク伝送チャンネルをスケジューリングする。
【０３３５】
手順S９０３：CAPは第N-１フレームのアップリンク伝送チャンネルで、アップリンクスケジューリング情報を受信・解析して、STAからアップリンクトラフィックを伝送する要求を得る。
【０３３６】
アップリンクトラフィック伝送の要求には、STAまたはSTAの多様なトラフィックストリームのスケジューリング要求を含む。例えば：未スケジューリングのトラフィックと隊列のサイズ、各トラフィックのサービス品質QoS要求、トラフィックプライオリティなど。アップリンクトラフィックを伝送する要求は、アップリンクスケジューリング情報に基づいて担持される。
【０３３７】
手順S９０４：CAPは第N-１フレームのアップリンク探査チャンネルでSTAから送信されたアップリンク探査信号を測定して、STAの対応するアップリンク伝送チャンネルの品質を得る。
【０３３８】
手順S９０５：CAPは、STAによるアップリンクトラフィックの伝送の要求とアップリンク伝送チャンネルに基づいて、第NフレームでSTAのためにアップリンク伝送リソースをスケジューリングする。
【０３３９】
CAPは、伝送リソースに整合できるフレーム構造を配置し、STAは解析システム情報チャンネルを介してチャンネル構造を把握し、解析制御チャンネルを介して具体的な伝送リソースの配分状況を知る。
【０３４０】
本応用実例は、リソースのスケジューリングプロセスを明らかに説明するため、図２４に示すように、３つのフレームを介してアップリンクトラフィック伝送リソースのスケジューリングプロセス、およびスケジューリングされたリソースによって動的にフレーム構造を配置するプロセスを終了する。
【０３４１】
応用実例４
本応用実例は別のアップリンクスケジューリングと伝送のプロセスを提供している。図２５に示すように、下記の手順を含む：
手順S１１０１：CAPは第NフレームでSTAのためにアップリンク伝送リソースをスケジューリングする。
【０３４２】
手順S１１０２：STAはアップリンク伝送する時に、STAがアップリンクトラフィックを伝送する要求を、データフレームに担持させ、アップリンクデータとともにCAPに送信する。
【０３４３】
手順S１１０３：CAPは、STAからアップリンクトラフィック伝送の要求を受信した後、STAによって伝送されたアップリンクトラフィック伝送の要求に基づいて、第N+１フレームでSTAのためにアップリンク伝送リソースを割り当てる。
【０３４４】
CAPは、伝送リソースに整合できるフレーム構造を配置し、STAは解析システム情報チャンネルを介してチャンネル構造を把握し、解析制御チャンネルを介して具体的な伝送リソースの配分状況を知る。
【０３４５】
本応用実例は、リソースのスケジューリングプロセスを明らかに説明するため、図２６に示すように、２つのアップリンクでトラフィック伝送を完成するリソースのスケジューリングプロセス、およびスケジューリングされたリソースによって動的にフレーム構造を配置するプロセスを終了する。
【０３４６】
応用実例５
図２７は、本応用実例に関わるアップリンクダウンリンクスケジューリングプロセスのシステム構造を示す図面である。
【０３４７】
図２７に示すように、フレームは、プリアンブルシーケンス、システム情報チャンネル、制御チャンネル、ダウンリンクトラフィック伝送チャンネル、ダウンリンク保護間隔DGI、アップリンク探査チャンネル、アップリンクのスケジューリングリクエストチャンネル、アップリンクトラフィック伝送チャンネル、アップリンクランダムアクセスチャンネルとアップリンク保護間隔UGIを含む。
【０３４８】
その中、プリアンブルシーケンスは具体的に短いパイロットと長いパイロットを含む。
【０３４９】
某CAPに関連するのは、４つのSTA、すなわちSTA０、STA１、STA２とSTA３である。
【０３５０】
第N-１フレームで、STA０はアップリンクダウンリンクトラフィック伝送を行うが、STA０各トラフィックのダウンリンク伝送隊列の中に依然としてグループ化配列があり、スケジューリングを待っている。アップリンクトラフィックが伝送する中で、STA０が上へN-１フレームを持って終わった後、STA０の各トラフィックのアップリンク隊列がグループ数量を待つ。第Nフレームで、効率が高く呼び出されることを確保する、CAPは、第N-１フレームで、STA０がアップリンク伝送チャンネルでフィードバックされるダウンリンクチャンネルの品質をスケジューリングする。第Nフレームで、効率が高くアップリンクスケジューリングを確保するため、CAPは第N-１フレームのスケジューリングSTA０がアップリンク探査チャンネル１でアップリンク探査信号を送信し、アップリンクチャンネル品質の測定に用いられる。N-１フレームで、STA１は新たなフレームトラフィックが到達しており、スケジューリングを待っている。STA２は、N-１フレームでランダムプロセスを完成させ、スケジューリングを待って、CAPにSTA２の伝送能力と機器構成を報告する。STA３は、N-１フレームのアップリンクチャンネルでアップリンクスケジューリングのリクエストを送信する。
【０３５１】
第Nフレームで、ダウンリンク伝送プロセス、CAPはSTA０のダウンリンクでんsのう隊列情報に基づいて、およびN-１フレームからフィードバックされたダウンリンク探査チャンネルの品質に基づいて、STA０のために３８４のOFDMシンボルをスケジューリングて、ダウンリンクトラフィック伝送に用いられる。STA０だけにトラフィック伝送があるため、本フレームの中で、ダウンリンク伝送チャンネルは計３８４のOFDMシンボルを配分して、コード１〜コード３８４のOFDMシンボルいずれもCAPからSTA０にダウンリンクトラフィックの伝送をダウンリンク。CAPは、後続フレームでダウンリンクSTA１をスケジューリングするよう、CAPは、ダウンリンク探査信号を送信し、STA１のアップリンクの伝送プロセスでフィードバックされるチャンネル状態情報をスケジューリングする。そのため、本フレームの中では、ダウンリンク探査チャンネルに１OFDMシンボルを配置する。
【０３５２】
第Nフレームで、アップリンクの伝送プロセスにおいて、CAPはSTA０からフィードバックされるアップリンク隊列情報に基づいて、アップリンク探査チャンネル１で測定のアップリンクチャンネルの品質に基づいて、STA０のためにアップリンクトラフィック伝送に用いられるアップリンクの１２８OFDMシンボルをスケジューリングする。CAPは、STA２のために１６のOFDMシンボルを割り当て、STA２伝送の能力と機器構成を報告する。CAPは、STA３のために１６のOFDMシンボルを割り当てて、アップリンクスケジューリングチャンネルを報告する。STA２とSTA３はいずれもフィードバック伝送で、特定の変調コード形式を講じる。CAPは、アップリンク伝送チャンネル品質を考慮する必要がない。伝送が終わった後に、STA０にダウンリンク伝送トラフィック伝送がなくなるため、STA０はダウンリンクチャンネル品質のフィードバックが不要になる。しかし、CAPは、STA０に未伝送のアップリンクトラフィックがあることを見積もるので、スケジューリングSTA０は、アップリンク探査チャンネル１経由でアップリンク探査チャンネルを送信する。同時、CAPは、STA３をスケジューリングて、アップリンク探査チャンネル２でアップリンク探査チャンネルを配置する。N+１フレームでSTA３アップリンク伝送を簡単にする。また、CAPはSTA１のために６４のOFDMシンボルを割り当て、アップリンクチャンネル品質をフィードバックする。要するに、アップリンク探査チャンネルは計１２８+１６+１６+６４=２２４のOFDMシンボルが必要である。その中、コード１〜コード１６はSTA２による機器能力の報告に用いられる。コード１７〜コード３２は、STA３からアップリンクスケジューリング情報をフィードバックされるに用いられる。コード３３〜コード９６は、STA１から、ダウンリンクチャンネル品質をフィードバックされるに用いられる。コード９８〜コード２２４は、STA０からアップリンクを伝送されるに用いられる。また、このフレームは、２つのアップリンク探査チャンネルを必要とする。その他のSTAがアップリンクトラフィックスケジューリングリクエストを送信するかどうかは分からないため、２OFDMシンボルを保留して、アップリンクスケジューリングリクエストチャンネルに用いられる。新たなランダムアクセスがあるかどうかは分からないので、１OFDMシンボルは、アップリンクランダムアクセスに使用する。
【０３５３】
CAP制御チャンネルの算出要求：ダウンリンクスケジューリング伝送、およびN-１フレームのSTA０アップリンクのためにACK/NACKをフィードバックして、２つのコントロールのサブチャンネルが必要となる。アップリンクスケジューリング伝送に、６つのコントロールのサブチャンネルが必要で、それぞれSTA０、STA１、STA２とSTA３のアップリンク伝送チャンネルスケジューリング、およびSTA０とSTA３アップリンク探査チャンネルの指定に用いられる。要するに、このフレームは、６つのOFDMシンボルを制御チャンネル伝送に用いられる。
【０３５４】
上記のスケジューリング面の考慮に基づいて、第Nフレームの構造情報を次にあげる。６OFDMシンボルは、制御チャンネル伝送に用いて、３８４のOFDMシンボルはダウンリンクトラフィック伝送に用いて、１つのOFDMシンボルはダウンリンク探査チャンネル（ダウンリンク探査チャンネルアドレスが固定値である）を伝送することに用いて、２つのOFDMシンボルはアップリンク探査チャンネル伝送に用いて、２つのOFDMシンボルはアップリンクスケジューリングリクエストチャンネルに用いて、２２４のOFDMシンボルはアップリンク伝送チャンネルに用いて、１つのOFDMシンボルはアップリンクランダムアクセスチャンネルに用いられる。これに加えてシステム特有の短いパイロット、長いパイロットを加え、システム情報チャンネルに各１OFDMシンボルがある。ダウンリンク〜アップリンクの保護間隔DGI、およびアップリンク〜ダウンリンク保護間隔UGIは各１OFDMシンボルがある。合計：３+６+３８４+１+１+２+２+２２４+１+１=６２５のOFDMシンボル。
【０３５５】
上記のプロセスに基づいて、STA０、STA １、STA ２、STA ３が通信フレームを受け取った後、システム情報チャンネルのブロードキャスト情報を検出することにより、制御チャンネル周期の６OFDMシンボル、ダウンリンク伝送チャンネル周期の３８４のOFDMシンボル、DGI周期の１OFDMシンボル、ダウンリンク探査チャンネル周期の１OFDMシンボル、アップリンクチャンネル周期の２OFDMシンボル、スケジューリングリクエストチャンネル周期の２OFDMシンボル、アップリンク伝送チャンネル周期の２２４のOFDMシンボル、ランダムアクセスチャンネル周期の１OFDMシンボルとUGI周期の１OFDMシンボルを取得できる。それから、プリアンブルシーケンスに対し、チャンネル周期の２OFDMシンボル（短いトレーニングシーケンスの１OFDMシンボル、長いトレーニングシーケンスの１OFDMシンボル）、システム情報チャンネル周期の１OFDMシンボル、制御チャンネル周期、ダウンリンク伝送チャンネル周期、ダウンリンク探査チャンネル周期、DGI周期、アップリンク探査チャンネル周期、スケジューリングリクエストチャンネル周期、アップリンクの伝送周期、ランダムアクセスチャンネル周期、UGI周期の和を求め、Nフレーム長を算出し、つまり３+６+３８４+１+１+２+２+２２４+１+１= ６２５OFDMシンボル。
【０３５６】
本発明実施例では、物理フレーム構造における各チャンネルリソースの割り当て状況を示す方法を提供する。詳しくは下記の通り。
【０３５７】
１、システム情報チャンネルと制御チャンネル：
システム情報チャンネルフィールド定義
システム情報チャンネルは時間空間コーディングではなくMCS０伝送を講じる。システム情報フィールド定義を表１に示す。
【０３５８】
【表１】
0006039644.tif 000002
【０３５９】
そのうち、システム情報チャンネルは１６桁CRCベリファイ、CRC生成多項式は
【０３６０】
【数１】
0006039644.tif 000003
【０３６１】
。レジスター初期状態は０xFF、演算終了後、レジスター状態を逆CRCベリファイシーケンスでアウトプットする。高階層レジスターアウトプットは高位
【０３６２】
【数２】
0006039644.tif 000004
【０３６３】
に、低階層レジスターアウトプットは低位
【０３６４】
【数３】
0006039644.tif 000005
【０３６５】
に対応する。
【０３６６】
２、制御チャンネルフィールドの定義：
制御チャンネルでは、時間空間コーディングではなく、MCS１伝送を採用する。制御チャンネルは、複数ユニキャストとキャストシグナリングで構成される。アップリンクダウンリンクユニキャストシグナリングフィールドを表２に示す。
【０３６７】
【表２】
0006039644.tif 000006
【０３６８】
そのうち、
【０３６９】
【数４】
0006039644.tif 000007
【０３７０】
はユニキャストシグナリングフィールドのCRCベリファイコードとCAP割り当ての当ゾーンに唯一の１２ビットIDのXORである。
【０３７１】
【数５】
0006039644.tif 000008
【０３７２】
制御チャンネルで１６桁CRCベリファイを使い、CRC生成多項式は
【０３７３】
【数６】
0006039644.tif 000009
【０３７４】
定義は表１と同じである。
【０３７５】
３、アップリンクダウンリンク伝送チャンネル：
アップリンクダウンリンク伝送チャンネルリソースの割り当てタイプ：
アップリンクダウンリンク伝送チャンネルで、本部分が時間分割リソースの分割多重スケジューリングに対応可。
【０３７６】
時間分割多重リソースの割り当て：
アップリンクまたはダウンリンク伝送チャンネルは各々のSTAに割り当てる時間周波数リソースをリソースグループと称する。
【０３７７】
0006039644.tif 000010
【０３７８】
【数７】
0006039644.tif 000011
【０３７９】
まで。そのうち、
【０３８０】
【数８】
0006039644.tif 000012
【０３８１】
はビット
【０３８２】
【数９】
0006039644.tif 000013
【０３８３】
が対応する十進数を示す。
【０３８４】
アップリンクダウンリンク伝送チャンネルリソーススケジューリング：
時間分割多重リソースの割り当て：
STAシグナリング（表２）において、
【０３８５】
【数１０】
0006039644.tif 000014
【０３８６】
はSTAリソースグループ開始OFDMシンボルインデックスを示し、閾値０~５１０。
【０３８７】
【数１１】
0006039644.tif 000015
【０３８８】
はSTAリソースグループが占用する連続OFDMシンボル個数を示す。
【０３８９】
STAに割り当てるリソースグループに復調パイロット占用リソースを含む。
【０３９０】
伝送チャンネル復調パイロット
本部分は動的に復調パイロットグラフを調整することができる。制御チャンネルでシグナリング
【０３９１】
【数１２】
0006039644.tif 000016
【０３９２】
（表２）は各々のタイムドメインパイロット間隔の配置が可能である。制御チャンネルでシグナリング
【０３９３】
【数１３】
0006039644.tif 000017
【０３９４】
（表２）は各々の周波数領域パイロットグラフの配置が可能である。
【０３９５】
表２の
【０３９６】
【数１４】
0006039644.tif 000018
【０３９７】
は０１または１０の場合、復調パイロットはプリコーディング処理（専用復調パイロット）を受ける必要がある。表２の
【０３９８】
【数１５】
0006039644.tif 000019
【０３９９】
は００または１１の場合、復調パイロットにプリコーディング処理（公衆復調パイロット）が不要である。
【０４００】
復調パイロットグラフを表３に示す。
【０４０１】
【表３】
0006039644.tif 000020
【０４０２】
そのうち、
（１）パイロット間隔
【０４０３】
【数１６】
0006039644.tif 000021
【０４０４】
は同一の時間空間ストリームパイロットシンボルサブキャリア周期を指す。例えば：
【０４０５】
【数１７】
0006039644.tif 000022
【０４０６】
の場合、２個の隣接する適用サブキャリアごとに１つの復調パイロットがあることを示す。
【０４０７】
（２）パイロットシンボル数、
【０４０８】
【数１８】
0006039644.tif 000023
【０４０９】
、は復調パイロットがタイムドメインで占用する連続OFDMシンボル個数を示す。
【０４１０】
表４は、復調パイロットグラフにおける各パイロットシンボルが対応するサブキャリア位置を示す。
【０４１１】
【表４】
0006039644.tif 000024
【０４１２】
そのうち、
【０４１３】
【数１９】
0006039644.tif 000025
【０４１４】
は第
【０４１５】
【数２０】
0006039644.tif 000026
【０４１６】
個時間空間ストリーム復調パイロットサブキャリアインデックス集合。
【０４１７】
【数２１】
0006039644.tif 000027
【０４１８】
は復調パイロットが占用するOFDMシンボルを示す。表内の
【０４１９】
【数２２】
0006039644.tif 000028
【０４２０】
は周波数領域の復調パイロット間隔、即ち
【０４２１】
【数２３】
0006039644.tif 000029
【０４２２】
を示す。
【０４２３】
復調パイロット間隔設計を次にあげる。
【０４２４】
制御チャンネルでシグナリング
【０４２５】
【数２４】
0006039644.tif 000030
【０４２６】
（表２）は各々のタイムドメインパイロット間隔の配置が可能で、各々の無線伝送環境に適応する。タイムドメインパイロット間隔の配置、
【０４２７】
【数２５】
0006039644.tif 000031
【０４２８】
、即ち：
【０４２９】
【数２６】
0006039644.tif 000032
【０４３０】
個OFDMシンボルごとに１グループ復調パイロットを挿入する。
【０４３１】
【数２７】
0006039644.tif 000033
【０４３２】
は短
【０４３３】
【数２８】
0006039644.tif 000034
【０４３４】
、
【０４３５】
【数２９】
0006039644.tif 000035
【０４３６】
は長
【０４３７】
【数３０】
0006039644.tif 000036
【０４３８】
。長、短
【０４３９】
【数３１】
0006039644.tif 000037
【０４４０】
がMAC層BCFフレームでスケジューリングする。
【０４４１】
復調プリアンブルシーケンス
プリアンブルシーケンスの生成多項式は
【０４４２】
【数３２】
0006039644.tif 000038
【０４４３】
。生成シーケンスはBPSK変調を介してパイロットシンボルシーケンス
【０４４４】
【数３３】
0006039644.tif 000039
【０４４５】
を得る。レジスター初期状態は：
【０４４６】
【数３４】
0006039644.tif 000040
【０４４７】
MSBは左、LSBは右。
【０４４８】
【数３５】
0006039644.tif 000041
【０４４９】
はCAPのMACアドレス最小７ビット。
【０４５０】
復調パイロットは次のようなルールに従い、時間周波数リソースにマッピングする。：
【０４５１】
【数３６】
0006039644.tif 000042
【０４５２】
数式の中：
【０４５３】
【数３７】
0006039644.tif 000043
【０４５４】
【数３８】
0006039644.tif 000044
【０４５５】
ダウンリンク伝送チャンネルマルチアンテナ方案：
マルチアンテナ伝送モードでは、第
【０４５６】
【数３９】
0006039644.tif 000045
【０４５７】
個アンテナポートのタイムドメインベースバンド信号は：
【０４５８】
【数４０】
0006039644.tif 000046
【０４５９】
数式の中：
【０４６０】
【数４１】
0006039644.tif 000047
【０４６１】
はタイムドメイン窓関数、
【０４６２】
【数４２】
0006039644.tif 000048
【０４６３】
は第
【０４６４】
【数４３】
0006039644.tif 000049
【０４６５】
個の空間ストリーム上第
【０４６６】
【数４４】
0006039644.tif 000050
【０４６７】
個サブキャリアのロードシンボル、
【０４６８】
【数４５】
0006039644.tif 000051
【０４６９】
はプリコーディングマトリックス
【０４７０】
【数４６】
0006039644.tif 000052
【０４７１】
の第
【０４７２】
【数４７】
0006039644.tif 000053
【０４７３】
行、
【０４７４】
【数４８】
0006039644.tif 000054
【０４７５】
列のエレメント。
【０４７６】
本部分で対応可能なダウンリンクマルチアンテナ伝送モードは次のとおり：
モード１：開ループSU-MIMO
モード２：閉ループSU-MIMO
モード３：閉ループMU-MIMO
そのうち、
モード１：開ループSU-MIMO
開ループSU-MIMOの時、STAはパラレルで２つのコードワード受信が可能。開ループモードではプリコーディングマトリックス
【０４７７】
【数４９】
0006039644.tif 000055
【０４７８】
は列正交マトリックス、且つ
【０４７９】
【数５０】
0006039644.tif 000056
【０４８０】
モード２：閉ループSU-MIMO
閉ループSU-MIMO時、STAはパラレルで２つのコードワード受信が可能で、且つサブキャリアグループ単位にプリコーディングも可能。プリコーディングマトリックスはパケットして定義する：適用サブキャリアの事前コード分割グループのグループ数は
【０４８１】
【数５１】
0006039644.tif 000057
【０４８２】
、第
【０４８３】
【数５２】
0006039644.tif 000058
【０４８４】
個グループ内のサブキャリア序号集合は
【０４８５】
【数５３】
0006039644.tif 000059
【０４８６】
、このグループは同様なプリコーディングマトリックスを使う。
【０４８７】
SU-MIMOモードでは同一の事前コード分割グループ内のサブキャリア数
【０４８８】
【数５４】
0006039644.tif 000060
【０４８９】
は次のような数式によって確定する。
【０４９０】
【数５５】
0006039644.tif 000061
【０４９１】
そのうち、
【０４９２】
【数５６】
0006039644.tif 000062
【０４９３】
定義は別紙B参照。事前コード分割グループの場合、
【０４９４】
【数５７】
0006039644.tif 000063
【０４９５】
の数値は１と２２つ。
【０４９６】
【数５８】
0006039644.tif 000064
【０４９７】
の場合、４個サブキャリアグループ：
[ -１１５,-１１３ ][ -１１２,-１０９ ][ -１０８,-１０５ ][ -１０４,-１１ ][ -１００,-９７ ][ -９６,-９３ ][ -９２,-８９ ][ -８８,-８５ ][-８４,-８１ ][ -８０,-７７ ][ -７６,-７３ ][ -７２,-６９ ][ -６８,-６５ ][ -６４,-６１ ][ -６０,-５７ ][ -５６,-５３ ][ -５２,-４９ ][ -４８,-４５ ][ -４４,-４１ ][ -４０,-３７ ][ -３６,-３３ ][ -３２,-２９ ][ -２８,-２５ ][ -２４,-２１ ][ -２０,-１７ ][ -１６,-１３ ][ -１２,-９ ][ -８,-５ ][ -４,-１ ][ １,４ ][ ５,８ ][ ９,１２ ][ １３,１６ ][ １７,２０ ][ ２１,２４ ][ ２５,２８ ][ ２９,３２ ][ ３３,３６ ][ ３７,４０ ][ ４１,４４ ][ ４５,４８ ][ ４９,５２ ][ ５３,５６ ][ ５７,６０ ][ ６１,６４ ][ ６５,６８ ][ ６９,７２ ][ ７３,７６ ][ ７７,８０ ][ ８１,８４ ][ ８５,８８ ][ ８９,９２ ][ ９３,９６ ][ ９７,１００ ][ １１,１０４ ][ １０５,１０８ ][ １０９,１１２ ][ １１３,１１５ ]
【０４９８】
【数５９】
0006039644.tif 000065
【０４９９】
の場合、８個サブキャリアグループ：
[ -１１５,,-１０５ ][ -１０４,-９７ ][ -９６,-８９ ][ -８８,-８１ ][ -８０,-７３ ][ -７２,-６５ ][ -６４,-５７ ][ -５６,-４９ ][-４８,-４１ ][ -４０,-３３ ][ -３２,-２５ ][ -２４,-１７ ][ -１６,-９ ][ -８,-１ ][ １,８ ][ ９,１６ ][ １７,２４ ][ ２５,３２ ][ ３３,４０ ][ ４１,４８ ][ ４９,５６ ][ ５７,６４ ][ ６５,７２ ][ ７３,８０ ][ ８１,８８ ][ ８９,９６ ][ ９７,１０４ ][ １０５,１１５ ]
閉ループSU-MIMOでは、STAはMAC層に基づいて、フィードバックチャンネル情報をスケジューリングすることができる。
【０５００】
モード３：閉ループMU-MIMO
閉ループMU-MIMOの場合、各STAは１つのコードワードのみを受信でき、且つサブキャリアグループ単位にプリコーディングする。プリコーディングマトリックスグループの定義は次にあげる。適用サブキャリアの事前コード分割グループのグループ数は
【０５０１】
【数６０】
0006039644.tif 000066
【０５０２】
、第
【０５０３】
【数６１】
0006039644.tif 000067
【０５０４】
個グループ内のサブキャリア序号集合は
【０５０５】
【数６２】
0006039644.tif 000068
【０５０６】
、このグループは同様なプリコーディングマトリックスを使う。MU-MIMOモードでは同一の事前コード分割グループ内のサブキャリア数
【０５０７】
【数６３】
0006039644.tif 000069
【０５０８】
は次のような数式によって確定する。
【０５０９】
【数６４】
0006039644.tif 000070
【０５１０】
そのうち、
【０５１１】
【数６５】
0006039644.tif 000071
【０５１２】
定義を表２に示す。CSIマトリックスに基づいて、フィードバックしたMU-MIMO事前コード分割グループを使う時、
【０５１３】
【数６６】
0006039644.tif 000072
【０５１４】
の数値は１。
【０５１５】
閉ループMU-MIMOの場合、STAはMAC層に基づいて、フィードバックチャンネル情報をスケジューリングすることができる。
【０５１６】
アップリンク伝送チャンネルマルチアンテナ方案
本部分で対応可能なアップリンクマルチアンテナ伝送モードは次のとおり：
モード１：開ループSU-MIMO
モード２：閉ループSU-MIMO
４、シグナリング/フィードバック伝送チャンネル
ここで、該当シグナリング/フィードバック伝送チャンネルは伝送シグナリング及び/またはフィードバック情報のチャンネル。
【０５１７】
STA時間リソースを分割多重する時、表２に示す
【０５１８】
【数６７】
0006039644.tif 000073
【０５１９】
はトラフィック伝送がSTAリソースグループインデックスにおける
【０５２０】
【数６８】
0006039644.tif 000074
【０５２１】
のOFDMシンボルからグループデータ及びその復調パイロットの伝送が始まる。
【０５２２】
【数６９】
0006039644.tif 000075
【０５２３】
は
【０５２４】
【数７０】
0006039644.tif 000076
【０５２５】
が対応する十進数を示す。そのうち、
【０５２６】
【数７１】
0006039644.tif 000077
【０５２７】
は高位、
【０５２８】
【数７２】
0006039644.tif 000078
【０５２９】
は低位。STAリソースグループ内、OFDMシンボル０〜OFDMシンボル
【０５３０】
【数７３】
0006039644.tif 000079
【０５３１】
はシグナリングまたはフィードバック伝送で、且つ伝送フォーマットは表２に記載するスケジューリングとは別の形式とする。そのが対応する伝送フォーマットを表５に示す。
【０５３２】
【表５】
0006039644.tif 000080
【０５３３】
シグナリング/フィードバック伝送は表２割り当てのトラフィック伝送リソースを分割多重するほか、次のようなキャストシグナリングで専用のシグナリング/フィードバック伝送リソースを割り当てることができる。
【０５３４】
ダウンリンクシグナリング/フィードバック伝送チャンネル：
ダウンリンクシグナリング/フィードバック伝送チャンネルはDL-TCHリソースを分割多重する。図２８に示す。全てのダウンリンクシグナリング/フィードバック伝送チャンネルは計１つの復調パイロットある。
【０５３５】
アップリンクシグナリング/フィードバック伝送チャンネル：
アップリンクシグナリング/フィードバック伝送チャンネルはUL-TCHリソースを分割多重する。アップリンクシグナリング/フィードバック伝送チャンネルは２つ構造に対応可、それぞれ図２９と図３０に示す。図３０形式２において、各々の基本リソースブロックは
【０５３６】
【数７４】
0006039644.tif 000081
【０５３７】
（相位フォローパイロットを除く）。そのうち、前４個OFDMシンボルと後４個OFDMシンボルは図に示す方式で遷移する。
【０５３８】
0006039644.tif 000082
【０５３９】
【表６】
0006039644.tif 000083
【０５４０】
そのうち、ダウンリンクシグナリングフィードバックチャンネルが占用するOFDMシンボル数は
【０５４１】
【数７５】
0006039644.tif 000084
【０５４２】
、インデックスが０のOFDMシンボルは公衆復調パイロット占用リソース。CRC定義は表１と同じである。
【０５４３】
シグナリング/フィードバック伝送チャンネルの割り当て：
CAPは表７に示すシグナリングを介して、STAにシグナリング/フィードバック伝送チャンネルを割り当てることができる。
【０５４４】
【表７】
0006039644.tif 000085
【０５４５】
そのうち、
ダウンリンクシグナリングフィードバック伝送チャンネル、
【０５４６】
【数７６】
0006039644.tif 000086
【０５４７】
がスケジューリングするのは対応するSTAダウンリンクシグナリングフィードバック伝送チャンネルの第１のOFDMシンボルで、
【０５４８】
【数７７】
0006039644.tif 000087
【０５４９】
はダウンリンクシグナリングフィードバック伝送チャンネル公衆復調パイロットで無効スケジューリングとする。
【０５５０】
アップリンクシグナリングフィードバック伝送チャンネル形式１、
【０５５１】
【数７８】
0006039644.tif 000088
【０５５２】
がスケジューリングするのは対応するSTAアップリンクシグナリングフィードバック伝送チャンネルの第１のOFDMシンボル、
【０５５３】
【数７９】
0006039644.tif 000089
【０５５４】
が対応するOFDMシンボルはこのSTAアップリンクシグナリングフィードバック伝送チャンネルの復調パイロットである。形式１、
【０５５５】
【数８０】
0006039644.tif 000090
【０５５６】
は無効スケジューリング。
【０５５７】
アップリンクシグナリングフィードバック伝送チャンネル形式２、
【０５５８】
【数８１】
0006039644.tif 000091
【０５５９】
がスケジューリングするのは対応するSTAアップリンクシグナリングフィードバック伝送チャンネルインデックス、
【０５６０】
【数８２】
0006039644.tif 000092
【０５６１】
はシグナリング/フィードバックチャンネル０を示す。
【０５６２】
ダウンリンクシグナリングフィードバック伝送チャンネルとアップリンクシグナリングフィードバック伝送チャンネル形式１、各々のOFDMシンボルは１つのシグナリング/フィードバックチャンネル。アップリンクシグナリングフィードバック伝送チャンネル形式２、各々のリソースブロックは１つのシグナリング/フィードバックチャンネル。
【０５６３】
５、アップリンクダウンリンク探査チャンネル
ダウンリンク探査チャンネル：
システム情報フィールドSICHに記載する
【０５６４】
【数８３】
0006039644.tif 000093
【０５６５】
、このフレームでダウンリンク探査チャンネル配置を示す。ダウンリンク探査チャンネルがダウンリンク伝送チャンネルの具体位置及びダウンリンク探査チャンネルパイロットグラフはMAC層BCFフレームでスケジューリングする。
【０５６６】
ダウンリンク探査パイロットグラフ：
ダウンリンク探査チャンネル可で対応可能なロジックアンテナポート数は１~８個、パイロットグラフは次にあげる。
【０５６７】
【表８】
0006039644.tif 000094
【０５６８】
表９に、復調パイロットグラフにおける各パイロットシンボルが対応するサブキャリア位置を定義する。
【０５６９】
【表９】
0006039644.tif 000095
【０５７０】
そのうち、
【０５７１】
【数８４】
0006039644.tif 000096
【０５７２】
は第
【０５７３】
【数８５】
0006039644.tif 000097
【０５７４】
個のアンテナポート探査パイロットが占用するサブキャリアインデックス集合。
【０５７５】
【数８６】
0006039644.tif 000098
【０５７６】
は探査パイロットが占用するOFDMシンボル。
【０５７７】
ダウンリンク探査シーケンスの生成：
プリアンブルシーケンス生成多項式は
【０５７８】
【数８７】
0006039644.tif 000099
【０５７９】
。生成シーケンスはBPSK変調でパイロットシンボルシーケンス
【０５８０】
【数８８】
0006039644.tif 000100
【０５８１】
を得る。レジスター初期状態は：
【０５８２】
【数８９】
0006039644.tif 000101
【０５８３】
MSBは左、LSBは右。
【０５８４】
【数９０】
0006039644.tif 000102
【０５８５】
はCAPのMACアドレス最小７ビット。
【０５８６】
探査パイロットは次のようなルールに従い、時間周波数リソースにマッピングする。令：
【０５８７】
【数９１】
0006039644.tif 000103
【０５８８】
数式の中：
【０５８９】
【数９２】
0006039644.tif 000104
【０５９０】
【数９３】
0006039644.tif 000105
【０５９１】
アップリンク探査チャンネル
アップリンク探査パイロットポート
アップリンク探査パイロットポートを表１０に示す。
【０５９２】
【表１０】
0006039644.tif 000106
【０５９３】
アップリンク探査チャンネル割り当て
CAPは表１１に示すシグナリングを介してSTAにアップリンク探査チャンネルを割り当てる。
【０５９４】
【表１１】
0006039644.tif 000107
【０５９５】
そのうち、アップリンク探査パイロットポートインデックスはSTAアンテナ０の探査パイロットポートをスケジューリングする。STAはマルチアンテナ配置であれば、その他のアンテナアップリンク探査パイロットポートインデックスは次の数式による：
【０５９６】
【数９４】
0006039644.tif 000108
【０５９７】
そのうち、
【０５９８】
【数９５】
0006039644.tif 000109
【０５９９】
はビット
【０６００】
【数９６】
0006039644.tif 000110
【０６０１】
が対応する十進数を示す。
【０６０２】
アップリンク探査プリアンブルシーケンス：
プリアンブルシーケンス生成多項式は
【０６０３】
【数９７】
0006039644.tif 000111
【０６０４】
。生成シーケンスはBPSK変調を通じてパイロットシンボルシーケンス
【０６０５】
【数９８】
0006039644.tif 000112
【０６０６】
を得る。レジスター初期状態は：
【０６０７】
【数９９】
0006039644.tif 000113
【０６０８】
MSBは左、LSBは右。
【０６０９】
【数１００】
0006039644.tif 000114
【０６１０】
はCAPのMACアドレス最小７ビット。
【０６１１】
CAPはSTAに割り当てるアップリンク探査パイロットポート集合は：
【０６１２】
【数１０１】
0006039644.tif 000115
【０６１３】
、そのうち、
【０６１４】
【数１０２】
0006039644.tif 000116
【０６１５】
は表１０中サブキャリアインデックスを示す。
【０６１６】
【数１０３】
0006039644.tif 000117
【０６１７】
は表１０のOFDMシンボルインデックスを示す。
【０６１８】
【数１０４】
0006039644.tif 000118
【０６１９】
はSTAアンテナポートインデックスを示す。
【０６２０】
【数１０５】
0006039644.tif 000119
【０６２１】
はアップリンク探査パイロットポートインデックスを示す。アップリンク探査パイロットは次のルールに従い、時間周波数リソースにマッピングする。即ち：
【０６２２】
【数１０６】
0006039644.tif 000120
【０６２３】
数式の中：
【０６２４】
【数１０７】
0006039644.tif 000121
【０６２５】
【数１０８】
0006039644.tif 000122
【０６２６】
６、アップリンクスケジューリングリクエストチャンネル
アップリンクスケジューリングリクエスト信号は図３１に示す方法に従い発生する。
【０６２７】
図において、CAP_MACはCAPのMACアドレスの最小７ビットを示す。
【０６２８】
【数１０９】
0006039644.tif 000123
【０６２９】
はPNシーケンスインデックス
【０６３０】
【数１１０】
0006039644.tif 000124
【０６３１】
を示す。
【０６３２】
【数１１１】
0006039644.tif 000125
【０６３３】
は循環シフトパラメータ集を示す。
【０６３４】
【数１１２】
0006039644.tif 000126
【０６３５】
は循環シフトパラメータインデックス
【０６３６】
【数１１３】
0006039644.tif 000127
【０６３７】
を示す。
【０６３８】
PNシーケンスの発生
PNシーケンスは生成多項式
【０６３９】
【数１１４】
0006039644.tif 000128
【０６４０】
の最大長線性フィードバックシフトレジスタシーケンスを示す。そのブロック図を図３２に示す。
【０６４１】
レジスターの初期値
【０６４２】
【数１１５】
0006039644.tif 000129
【０６４３】
、MSBは左、LSBは右。そのうち、
【０６４４】
【数１１６】
0006039644.tif 000130
【０６４５】
はCAPのMACアドレスの最小７ビットを示す。
【０６４６】
変調マッピング
シーケンス
【０６４７】
【数１１７】
0006039644.tif 000131
【０６４８】
はBPSKによる変調後、シーケンス
【０６４９】
【数１１８】
0006039644.tif 000132
【０６５０】
を得る。
【０６５１】
サブキャリアマッピング
シーケンス
【０６５２】
【数１１９】
0006039644.tif 000133
【０６５３】
は次の数式によってサブキャリアマッピングを行うことで、シーケンス
【０６５４】
【数１２０】
0006039644.tif 000134
【０６５５】
を得る。
【０６５６】
【数１２１】
0006039644.tif 000135
【０６５７】
周波数領域循環シフト
サブキャリアに対しマッピングした後のシーケンス
【０６５８】
【数１２２】
0006039644.tif 000136
【０６５９】
は次の数式によって循環シフトを行うことで、シーケンス
【０６６０】
【数１２３】
0006039644.tif 000137
【０６６１】
を得る。
【０６６２】
【数１２４】
0006039644.tif 000138
【０６６３】
数式の中：
【０６６４】
【数１２５】
0006039644.tif 000139
【０６６５】
はIFFTの点数で、
【０６６６】
【数１２６】
0006039644.tif 000140
【０６６７】
、
【０６６８】
【数１２７】
0006039644.tif 000141
【０６６９】
は循環シフトパラメータで、単位はサンプリングポイント個数である。２０MHzシステムに対し、
【０６７０】
【数１２８】
0006039644.tif 000142
【０６７１】
、
【０６７２】
【数１２９】
0006039644.tif 000143
【０６７３】
独立リソースリクエストのフレームリソース割り当て
CAPは表１２に示すシグナリングを介して、STAに独立リソースリクエストフレームが占用するUL-TCHリソースを割り当てる。
【０６７４】
【表１２】
0006039644.tif 000144
【０６７５】
７、アップリンクランダムアクセスチャンネル
ランダムアクセス信号発生
ランダムアクセス信号の発生はアップリンクスケジューリングリクエスト信号と同様である。アップリンクランダムアクセス信号のシーケンスインデックス号と循環シフトインデックス号
【０６７６】
【数１３０】
0006039644.tif 000145
【０６７７】
は各STAへよってランダム選択される。
【０６７８】
ランダムアクセスチャンネル形式：
形式１を図３３に示す。
【０６７９】
【数１３１】
0006039644.tif 000146
【０６８０】
形式２を図３４に示す。
【０６８１】
【数１３２】
0006039644.tif 000147
【０６８２】
形式３を図３５に示す。
【０６８３】
【数１３３】
0006039644.tif 000148
【０６８４】
ランダムアクセスリクエストフレームリソースの割り当て：
CAPは表１３に示すシグナリングを介してSTAにランダムアクセスリクエストフレームが占用するUL-TCHリソースを割り当てる。
【０６８５】
【表１３】
0006039644.tif 000149
【０６８６】
そのうち、送信定時の繰り上げ時間は
【０６８７】
【数１３４】
0006039644.tif 000150
【０６８８】
、単位：見本数。早期定時の時間は１００nS単位。サンプリングクロックは２０MHzの場合、
【０６８９】
【数１３５】
0006039644.tif 000151
【０６９０】
ランダムアクセス応答フレームリソース割り当て：
CAPは表１４に示すシグナリングを介してSTAのためにランダムアクセス応答フレームが占用するDL-TCHリソースをスケジューリングする。
【０６９１】
【表１４】
0006039644.tif 000152
【０６９２】
アップリンク出力制御
開ループ出力制御
TDDシステムアップリンクダウンリンクリンクのチャンネル相互性を鑑みて、開ループ出力制御を行う。
【０６９３】
【数１３６】
0006039644.tif 000153
【０６９４】
数式の中：
【０６９５】
【数１３７】
0006039644.tif 000154
【０６９６】
：伝送経路損失の見積もり値。STA受信出力とCAP送信出力によって見積もる。CAP送信出力はMAC層BCFフレームでスケジューリングする。
【０６９７】
【数１３８】
0006039644.tif 000155
【０６９８】
：異なるMCSが対応するC/N比。
【０６９９】
【数１３９】
0006039644.tif 000156
【０７００】
：CAPがSTAに割り当てる伝送帯域幅。
【０７０１】
閉ループ制御：
【０７０２】
【表１５】
0006039644.tif 000157
【０７０３】
【数１４０】
0006039644.tif 000158
【０７０４】
実施例15
本発明実施例では、リソーススケジューリング方法を提供する。シグナリング及び/またはフィードバック伝送リソースのスケジューリングに用いられる。その詳細を次にあげる。
【０７０５】
手順１：シグナリングを生成し、該当シグナリングにユーザリソースグループ内のシグナリング及び/またはフィードバック伝送に用いられるリソースのスケジューリング情報を付ける。該当ユーザリソースグループはユーザトラフィックデータ伝送に用いられる。
【０７０６】
手順２：該当シグナリングを送信する。
【０７０７】
そのうち、該当シグナリングにユーザリソースグループのスタートアドレスとサイズを示す情報を付ける。
【０７０８】
本発明実施例では、シグナリング及び/またはフィードバック伝送のリソースとユーザ伝送リソースの分割多重に用いられる。リソーススケジューリングに従い、適応にシグナリングフィードバックチャンネルと伝送チャンネルの分割多重を配置する。シグナリング形式について、表２参照。
【０７０９】
【数１４１】
0006039644.tif 000159
【０７１０】
はトラフィック伝送をSTAリソースグループからインデックス
【０７１１】
【数１４２】
0006039644.tif 000160
【０７１２】
のOFDMシンボルからグループデータ及びその復調パイロットを伝送することをスケジューリングする。
【０７１３】
【数１４３】
0006039644.tif 000161
【０７１４】
は
【０７１５】
【数１４４】
0006039644.tif 000162
【０７１６】
が対応する十進数である。そのうち、
【０７１７】
【数１４５】
0006039644.tif 000163
【０７１８】
は高位、
【０７１９】
【数１４６】
0006039644.tif 000164
【０７２０】
は低位。詳細を図１５に示す。ユーザリソースグループ内、OFDMシンボル０〜OFDMシンボル
【０７２１】
【数１４７】
0006039644.tif 000165
【０７２２】
はシグナリングまたはフィードバック伝送に用いられる。STAリソースグループから、インデックス
【０７２３】
【数１４８】
0006039644.tif 000166
【０７２４】
のOFDMシンボルからグループデータ及びその復調パイロットを伝送する。
【０７２５】
シグナリング及び/またはフィードバック情報の伝送時、両端末で約束したシグナリング及び/またはフィードバック伝送フォーマットに基づいて伝送する。
【０７２６】
上記のリソーススケジューリング方法の実現に向けて、本発明実施例では、リソーススケジューリング機器も提供している。その詳細を次にあげる。
【０７２７】
パッケージモジュールは、に用いられる生成シグナリング、該当シグナリングにユーザリソースグループにおけるシグナリング及び/またはフィードバック伝送に用いられるリソースを示す情報を付ける。該当ユーザリソースグループはユーザトラフィックデータ伝送。
【０７２８】
送信モジュールは、該当シグナリングの送信に用いられる。
【０７２９】
そのうち、該当シグナリングにユーザリソースグループのスタートアドレスとサイズを示す情報を付ける。
【０７３０】
そのうち、該当シグナリングはデフォルトのシグナリング及び/またはフィードバック伝送フォーマットによって伝送することをスケジューリングする。
【０７３１】
適応に、本発明実施例では、データ送信方法を提供する。上記のシグナリングの受信に用いられる。これに基づいて伝送する。その詳細を次にあげる。
【０７３２】
手順１：シグナリングを受信し、該当シグナリングにユーザリソースグループにおけるシグナリング及び/またはフィードバック伝送に用いられるリソースのスケジューリング情報を付ける。該当ユーザリソースグループはユーザトラフィックデータ伝送に用いられる。
【０７３３】
手順２：該当スケジューリング情報に従い、ユーザリソースグループに相応な位置でシグナリング及び/またはフィードバックメッセージを伝送することに用いられる。
【０７３４】
そのうち、データの伝送時、デフォルトのシグナリング及び/またはフィードバック伝送フォーマットに基づいて伝送する。
【０７３５】
上記のデータ送信方法の実現に向けて、本発明実施例では、データ送信機器を提供する。その詳細を次にあげる。
【０７３６】
受信モジュールは、シグナリングの受信に用いられる。該当シグナリングにユーザリソースグループにおけるシグナリング及び/またはフィードバック伝送に用いられるリソースを示す情報を付ける。該当ユーザリソースグループはユーザトラフィックデータの伝送に用いられる。
【０７３７】
送信モジュールは、該当スケジューリング情報に従い、ユーザリソースグループにおける相応な位置でシグナリング及び/またはフィードバックメッセージの伝送に用いられる。
【０７３８】
そのうち、該当送信モジュールは、デフォルトのシグナリング及び/またはフィードバック伝送フォーマットに基づいて伝送することに用いられる。
【０７３９】
実施例16
本発明実施例では、リソーススケジューリング方法を提供する。シグナリング及び/またはフィードバック伝送リソースのスケジューリングに用いられる。その詳細を次にあげる。
【０７４０】
手順１：第１シグナリングを生成し、該当第１シグナリングにシグナリング及び/またはフィードバック伝送のリソースを示す情報に用いられる。
【０７４１】
手順２：該当第１シグナリングを送信する。
【０７４２】
そのうち、該当スケジューリングシグナリング及び/またはフィードバック伝送のリソースの情報の中にスタートアドレスとサイズを含む。
【０７４３】
そのうち、該当スケジューリングシグナリング及び/またはフィードバック伝送のリソースの情報の中に形式を含む。該当形式はリソース分割多重をスケジューリングする方式である。
【０７４４】
そのうち、該当リソース分割多重の方式は時間分割多重、周波分割多重、時周波分割多重またはコード分割多重に分ける。
【０７４５】
そのうち、該当スケジューリングシグナリング及び/またはフィードバック伝送のリソースの情報の中にスペクトル重合モードでこの第１シグナリングに適用するサブチャンネルまたはサブキャリアをスケジューリングすることを含む。
【０７４６】
上記の手順２以降の手順３と４を含む：
手順３：第２シグナリングを生成し、該当第２シグナリングにシグナリング及び/またはフィードバック伝送のリソースを割り当てる情報を付ける。各ユーザに割り当てるシグナリング及び/またはフィードバック伝送のリソースをスケジューリングする。
【０７４７】
手順４：該当第２シグナリングを送信する。
【０７４８】
そのうち、割り当てられるシグナリング及び/またはフィードバック伝送のリソースの情報の中に１つまたは複数ユーザ表示STAID、及び対応するSTAの該当シグナリング及び/またはフィードバック伝送のリソースにおけるスタートアドレスとサイズを含む。
【０７４９】
そのうち、STAIDは唯一の１STA表示に用いられる。
【０７５０】
そのうち、STAIDもキャストID表示でもよい。該当キャストID表示は、全てのSTAの共通ID表示であり、各STAいずれもキャストID表示を介して対応するシグナリングを受信する。
【０７５１】
そのうち、STAが占用するシグナリング及び/またはフィードバックチャンネルの個数にてSTAのサイズをスケジューリングする。各々のシグナリング及び/またはフィードバックチャンネルの単位サイズは１のOFDMシンボル（モード１、即ち時間分割多重方式）または１個単位リソースブロック（モード２、即ち時周波分割多重方式）である。
【０７５２】
本発明実施例では、シグナリング及び/またはフィードバック伝送用リソースとユーザ伝送リソースとは独立する。具体的には、本発明実施例に関わる第１シグナリングを表６に示す。第２シグナリングを表７に示す。図２９と図３０に示す２つの伝送モードに対応する。
【０７５３】
上記のリソーススケジューリング方法の実現に向けて、本発明実施例では、リソーススケジューリング機器を提供する。その詳細を次にあげる。
【０７５４】
第１パッケージモジュールは、第１シグナリングの生成に用いられる。該当第１シグナリングにシグナリング及び/またはフィードバック伝送のリソースを示す情報を付ける。
【０７５５】
第１送信モジュールは、該当第１シグナリングの送信に用いられる。
【０７５６】
そのうち、該当スケジューリングシグナリング及び/またはフィードバック伝送のリソースの情報の中にスタートアドレスとサイズを含む。  
そのうち、該当スケジューリングシグナリング及び/またはフィードバック伝送のリソースの情報の中に形式を含む。該当形式はリソース分割多重をスケジューリングする方式である。
【０７５７】
そのうち、該当リソース分割多重の方式は時間分割多重、周波分割多重、時周波分割多重またはコード分割多重に分けられる。
【０７５８】
そのうち、該当スケジューリングシグナリング及び/またはフィードバック伝送のリソースの情報の中にスペクトル重合モードでこの第１シグナリングに適用するサブチャンネルまたはサブキャリアをスケジューリングすることを含む。
【０７５９】
上記のリソーススケジューリング機器は次のようなことを含む：
第２パッケージモジュールは、第２シグナリングの生成に用いられる。該当第２シグナリングには、シグナリング及び/またはフィードバック伝送のリソースに用いられる情報を含む。各ユーザのために割り当てるシグナリング及び/またはフィードバック伝送のリソースをスケジューリングする。
【０７６０】
第２送信モジュールは、該当第２シグナリングの送信に用いられる。
【０７６１】
そのうち、割り当てられるシグナリング及び/またはフィードバック伝送のリソースの情報の中に１つまたは複数ユーザ表示STAID、及びが対応するSTAは該当シグナリング及び/またはフィードバック伝送のリソースに記載するスタートアドレスとサイズを含む。
【０７６２】
そのうち、該当STAIDは唯一表示の１STAに用いられる。
【０７６３】
そのうち、該当STAIDもキャストID表示である。
【０７６４】
そのうち、該当STAが占用するシグナリング及び/またはフィードバックチャンネルの個数をスケジューリングすることで、該当STAのサイズをスケジューリングする。各々のシグナリング及び/またはフィードバックチャンネルの単位サイズは１のOFDMシンボル（モード１を図２９に示す）または１個単位リソースブロック（モード２、を図３０に示す）。
【０７６５】
本発明実施例において、各STAは時間分割、周波分割、コード分割、空間分割または上記の分割多重方式の組合を介してアップリンク伝送リソースを共有する。
【０７６６】
開示におけるステップの特定順序または段階は例示的な方法の実施例である。設計の好みベースで、過程の中のステップの特定順序または段階は、本開示の保護範囲から脱離することなく新たに振り当てることができると理解すべきである。特許請求の範囲における方法請求項は例示的な順序により各ステップの要素が挙げられるが、記載している特定順序または段階に限られることではない。
【０７６７】
前記の詳しい説明では、各特徴を共にシグナル実施の形態に組み合わせて、本開示を簡素化するが、このような開示方法を下記の意図の反映に説明するわけではなく、即ち、リクエストされる保護の主題の実施の形態は各請求項に明瞭に記載されている特徴よりも多い。その逆に、添付される特許請求の範囲で反映している通り、本発明は開示されるシグナル実施の形態の全ての特徴よりも少ない状態に属する。このため、添付される特許請求の範囲が特に明瞭に詳細な説明に合弁され、そのうち、各請求項が独自に本発明の独立の好ましい技術案とする。
【０７６８】
前記の記述は１つまたは複数の実施例の例を含む。当然ながら、前記の実施例を説明するために、部品または方法に対するすべての可能な組み合わせの説明は不可能であるが、当業者は各実施例を更に組み合わせ・配列できることを理解すべきである。このため、本文では説明する実施例は、添付される特許請求の範囲の保護範囲における全てのこのような変更、修正と変形を含む。また、明細書または特許請求の範囲に使用される「含める」という用語については、当該用語の表現する方式は「含む」という用語と類似し、請求項では接続用語で説明する「含む」の通りである。なお、特許請求の範囲及び明細書におけるいずれかの「または」という用語は「非排他的なまたは」を表すものである。
【図１】
0006039644.tif 000167
【図２】
0006039644.tif 000168
【図３】
0006039644.tif 000169
【図４】
0006039644.tif 000170
【図５】
0006039644.tif 000171
【図６ａ】
0006039644.tif 000172
【図６ｂ】
0006039644.tif 000173
【図７】
0006039644.tif 000174
【図８】
0006039644.tif 000175
【図９】
0006039644.tif 000176
【図１０】
0006039644.tif 000177
【図１１】
0006039644.tif 000178
【図１２】
0006039644.tif 000179
【図１３】
0006039644.tif 000180
【図１４】
0006039644.tif 000181
【図１５】
0006039644.tif 000182
【図１６】
0006039644.tif 000183
【図１７】
0006039644.tif 000184
【図１８】
0006039644.tif 000185
【図１９】
0006039644.tif 000186
【図２０】
0006039644.tif 000187
【図２１】
0006039644.tif 000188
【図２２】
0006039644.tif 000189
【図２３】
0006039644.tif 000190
【図２４】
0006039644.tif 000191
【図２５】
0006039644.tif 000192
【図２６】
0006039644.tif 000193
【図２７】
0006039644.tif 000194
【図２８】
0006039644.tif 000195
【図２９】
0006039644.tif 000196
【図３０】
0006039644.tif 000197
【図３１】
0006039644.tif 000198
【図３２】
0006039644.tif 000199
【図３３】
0006039644.tif 000200
【図３４】
0006039644.tif 000201
【図３５】
0006039644.tif 000202